(57)【特許請求の範囲】
【請求項１】
車両のユーザーに所持されて、携帯機本体の外形を構成するハウジング（２、５０）内に、前記車両を制御するための複数種類の制御信号のうち選択された制御信号を出力する制御部（２６）と、前記制御部が出力した前記制御信号の電波を送信する送信部（２５）とを有する車両用携帯機（１、６０）において、
前記複数種類の制御信号のうち前記制御部に出力させる前記制御信号の種類を選択する第一入力部（３、１５、４６、５４、５５）と、
前記制御部に前記制御信号の出力を指示する第二入力部（５、１８、４８、５３）とを有し、
前記第一入力部は機械的な断続接点を持たないスイッチにより構成され、
前記制御部は、前記第二入力部に対するユーザーのアクションがあるまでは選択された前記制御信号を出力せず、
前記第一入力部は、ユーザーからのアクションに対し動作しない待機状態と、ユーザーからのアクションにより動作する起動状態とを有し、
前記第一入力部の前記待機状態と前記起動状態の切替制御を行う入力制御部（２１）と、
前記入力制御部に対し、前記第一入力部を前記待機状態から前記起動状態へと遷移させるよう指示する第三入力部（５、１８、３５）とを有し、
前記入力制御部は、前記第一入力部に対するユーザーのアクションが終了してから一定時間以内に前記第二入力部に対するユーザーのアクションが無い場合には、前記第一入力部を前記待機状態に遷移させ、
前記第一入力部により選択された前記制御信号の選択状態を解除することを特徴とする車両用携帯機。
【請求項２】
車両のユーザーに所持されて、携帯機本体の外形を構成するハウジング（２、５０）内に、前記車両を制御するための複数種類の制御信号のうち選択された制御信号を出力する制御部（２６）と、前記制御部が出力した前記制御信号の電波を送信する送信部（２５）とを有する車両用携帯機（１、６０）において、
前記複数種類の制御信号のうち前記制御部に出力させる前記制御信号の種類を選択する第一入力部（３、１５、４６、５４、５５）と、
前記制御部に前記制御信号の出力を指示する第二入力部（５、１８、４８、５３）とを有し、
前記第一入力部は機械的な断続接点を持たないスイッチにより構成され、
前記制御部は、前記第二入力部に対するユーザーのアクションがあるまでは選択された前記制御信号を出力せず、
前記第一入力部は、ユーザーからのアクションに対し動作しない待機状態と、ユーザーからのアクションにより動作する起動状態とを有し、
前記第一入力部の前記待機状態と前記起動状態の切替制御を行う入力制御部（２１）と、
前記入力制御部に対し、前記第一入力部を前記待機状態から前記起動状態へと遷移させるよう指示する第三入力部（５、１８、３５）と、
前記制御信号の内容を示したアイコンを表示するアイコン表示部と、
前記第一入力部が前記待機状態から前記起動状態に遷移した時に、前記第一入力部にアクションされる前の初期状態として、複数種類の制御信号のうちいずれか１つのアイコンのみを、前記アイコン表示部に表示させる表示制御部とを有し、
前記制御部、又は前記入力制御部は、前記第一入力部が前記待機状態から前記起動状態に遷移した時に、前記第一入力部にアクションされる前の初期状態として、前記アイコン表示部に表示されたアイコンで示される制御信号を、出力する制御信号として選択することを特徴とする車両用携帯機。
【請求項３】
車両のユーザーに所持されて、携帯機本体の外形を構成するハウジング（２、５０）内に、前記車両を制御するための複数種類の制御信号のうち選択された制御信号を出力する制御部（２６）と、前記制御部が出力した前記制御信号の電波を送信する送信部（２５）とを有する車両用携帯機（１、６０）において、
前記複数種類の制御信号のうち前記制御部に出力させる前記制御信号の種類を選択する第一入力部（３、１５、４６、５４、５５）と、
前記車両のメカキー（３０）を保持する保持機構（３８、３９）と、
前記メカキーの保持の解除を指示する解除スイッチとを有し、
前記第一入力部は機械的な断続接点を持たないスイッチにより構成され、
前記保持機構は、前記メカキーを保持状態にする保持位置と、解除状態にする解除位置との間で移動する移動体（３８）を有し、前記解除スイッチが操作された場合には、電磁力により、前記移動体を前記保持位置から前記解除位置に移動させることを特徴とする車両用携帯機。
【請求項４】
車両のユーザーに所持されて、携帯機本体の外形を構成するハウジング（２、５０）内に、前記車両を制御するための複数種類の制御信号のうち選択された制御信号を出力する制御部（２６）と、前記制御部が出力した前記制御信号の電波を送信する送信部（２５）とを有する車両用携帯機（１、６０）において、
前記複数種類の制御信号のうち前記制御部に出力させる前記制御信号の種類を選択する第一入力部（３、１５、４６、５４、５５）と、
前記車両のメカキーを保持する保持機構（４０、４１）と、
前記メカキーの保持の解除を指示する解除スイッチとを有し、
前記第一入力部は機械的な断続接点を持たないスイッチにより構成され、
前記保持機構は、磁力により前記メカキーを保持し、前記解除スイッチが操作された場合には、前記メカキーを保持する磁力を無効にすることで、前記メカキーの保持を解除することを特徴とする車両用携帯機。
【請求項５】
車両のユーザーに所持されて、携帯機本体の外形を構成するハウジング（２、５０）内に、前記車両を制御するための複数種類の制御信号のうち選択された制御信号を出力する制御部（２６）と、前記制御部が出力した前記制御信号の電波を送信する送信部（２５）とを有する車両用携帯機（１、６０）において、
前記複数種類の制御信号のうち前記制御部に出力させる前記制御信号の種類を選択する第一入力部（３、１５、４６、５４、５５）を有し、
前記第一入力部は機械的な断続接点を持たないスイッチにより構成され、
前記第一入力部により選択された前記制御信号の内容を示したアイコン（１２ａ〜１２ｅ、４７ａ、４９ａ、５２ａ〜５２ｅ）を表示するアイコン表示部（４、１６、１７、５２、４７、４９）を有し、
前記アイコン表示部は、
前記制御信号ごとの前記アイコン（４７ａ、４９ａ）が印刷されて、前記アイコンの部分は光を透過するグラフィックシート（４７、４９）と、
前記グラフィックシートの背面側に配置されて、表示する前記アイコンに光を供給する光供給部とを有し、
前記グラフィックシートは、右利きのユーザーに適した位置に前記アイコン（４７ａ）が印刷された右利き用のグラフィックシート（４７）、又は左利きのユーザーに適した位置に前記アイコン（４９ａ）が印刷された左利き用のグラフィックシート（４９）であり、
前記光供給部は、前記右利き用のグラフィックシートに印刷された前記アイコンに光を供給する第１光供給部と、前記左利き用のグラフィックシートに印刷された前記アイコンに光を供給する第２光供給部とを有し、
前記第１光供給部又は前記第２光供給部を制御する表示制御部であって、前記車両用携帯機に前記右利き用グラフィックシートが設けられた場合には前記第１光供給部を動作させ、前記第２光供給部は動作させない制御を行うプログラムに書き換えられ、前記車両用携帯機に前記左利き用グラフィックシートが設けられた場合には前記第２光供給部を動作させ、前記第１光供給部は動作させない制御を行うプログラムに書き換えられる表示制御部を備えることを特徴とする車両用携帯機。
【請求項６】
車両のユーザーに所持されて、携帯機本体の外形を構成するハウジング（２、５０）内に、前記車両を制御するための複数種類の制御信号のうち選択された制御信号を出力する制御部（２６）と、前記制御部が出力した前記制御信号の電波を送信する送信部（２５）とを有する車両用携帯機（１、６０）において、
前記複数種類の制御信号のうち前記制御部に出力させる前記制御信号の種類を選択する第一入力部（３、１５、４６、５４、５５）を有し、
前記第一入力部は機械的な断続接点を持たないスイッチにより構成され、
前記第一入力部により選択された前記制御信号の内容を示したアイコン（１２ａ〜１２ｅ、４７ａ、４９ａ、５２ａ〜５２ｅ）を表示するアイコン表示部（４、１６、１７、５２、４７、４９）を有し、
前記アイコン表示部は、
前記制御信号ごとの前記アイコン（４７ａ、４９ａ）が印刷されて、前記アイコンの部分は光を透過するグラフィックシート（４７、４９）と、
前記グラフィックシートの背面側に配置されて、表示する前記アイコンに光を供給する光供給部とを有し、
前記グラフィックシートは、右利きのユーザーに適した位置に前記第一入力部の操作部（７２）が印刷された右利き用グラフィックシート（４７）、又は左利きのユーザーに適した位置に前記第一入力部の操作部（７６）が印刷された左利き用グラフィックシート（４９）であり、
前記第一入力部は、前記右利き用グラフィックシートに印刷された前記操作部へのアクションを検知する第１検知部と、前記左利き用グラフィックシート（４７）に印刷された前記操作部へのアクションを検知する第２検知部とを有し、
前記第１検知部又は前記第２検知部の動作を制御する入力制御部であって、前記車両用携帯機に前記右利き用グラフィックシートが設けられた場合には前記第１検知部を動作させ、前記第２検知部は動作させない制御を行うプログラムに書き換えられ、前記車両用携帯機に前記左利き用グラフィックシートが設けられた場合には前記第２検知部を動作させ、前記第１検知部は動作させない制御を行うプログラムに書き換えられる入力制御部を備えることを特徴とする車両用携帯機。
【請求項７】
前記制御部に前記制御信号の出力を指示する第二入力部（５、１８、４８、５３）を有し、
前記制御部は、前記第二入力部に対するユーザーのアクションがあるまでは選択された前記制御信号を出力しないことを特徴とする請求項３、４、５、６のいずれか１項に記載の車両用携帯機。
【請求項８】
前記第一入力部は、ユーザーからのアクションに対し動作しない待機状態と、ユーザーからのアクションにより動作する起動状態とを有し、
前記第一入力部の前記待機状態と前記起動状態の切替制御を行う入力制御部（２１）と、
前記入力制御部に対し、前記第一入力部を前記待機状態から前記起動状態へと遷移させるよう指示する第三入力部（５、１８、３５）とを有することを特徴とする請求項７に記載の車両用携帯機。
【請求項９】
前記第一入力部、前記第二入力部、前記第三入力部のうち少なくとも一つが、前記制御部が実装された回路基板の外に設けられており、前記回路基板に実装されたコネクタ（３２）を介して前記回路基板に電気的に繋がっていることを特徴とする請求項１、２、８のいずれか１項に記載の車両用携帯機。
【請求項１０】
前記第一入力部が前記第二入力部及び前記第三入力部を兼ねることを特徴とする請求項１、２、８のいずれか１項に記載の車両用携帯機。
【請求項１１】
前記第一入力部が前記第二入力部を兼ねることを特徴とする請求項１、２、８のいずれか１項に記載の車両用携帯機。
【請求項１２】
前記第一入力部が前記第三入力部を兼ねることを特徴とする請求項１、２、８のいずれか１項に記載の車両用携帯機。
【請求項１３】
前記第二入力部が前記第三入力部を兼ねることを特徴とする請求項１、２、８のいずれか１項に記載の車両用携帯機。
【請求項１４】
前記第一入力部、前記第二入力部、前記第三入力部のうち少なくとも一つがユーザーのアクションによって動作した際にフィードバックを発生させるフィードバック部（４、１６、１７、３６、５２）を有することを特徴とする請求項１、２、８、９、１０、１１、１２、１３のいずれか１項に記載の車両用携帯機。
【請求項１５】
前記フィードバック部は、音、振動、光、感触の少なくとも１つを発生させることを特徴とする請求項１４に記載の車両用携帯機。
【請求項１６】
前記入力制御部は、前記第一入力部を前記起動状態に遷移させてから一定時間以内に前記第一入力部に対するユーザーのアクションが無い場合には、前記第一入力部を前記待機状態に遷移させることを特徴とする請求項１、２、８、９、１０、１１、１２、１３、１４、１５のいずれか１項に記載の車両用携帯機。
【請求項１７】
前記入力制御部は、前記第一入力部に対するユーザーのアクションが終了してから一定時間以内に前記第二入力部に対するユーザーのアクションが無い場合には、前記第一入力部を前記待機状態に遷移させ、
前記第一入力部により選択された前記制御信号の選択状態を解除することを特徴とする請求項２、８、９、１０、１１、１２、１３、１４、１５、１６のいずれか１項に記載の車両用携帯機。
【請求項１８】
前記第一入力部（３）は、前記制御信号の種類ごとに操作範囲（３ａ〜３ｅ）が分けられており、
各操作範囲が互いに繋がっていることを特徴とする請求項１〜１７のいずれか１項に記載の車両用携帯機。
【請求項１９】
前記第一入力部により選択された前記制御信号の内容を示したアイコン（１２ａ〜１２ｅ、４７ａ、４９ａ、５２ａ〜５２ｅ）を表示するアイコン表示部（４、１６、１７、５２、４７、４９）を有することを特徴とする請求項１〜１８のいずれか１項に記載の車両用携帯機。
【請求項２０】
前記制御信号の内容を示したアイコンを表示するアイコン表示部と、
前記第一入力部が前記待機状態から前記起動状態に遷移した時に、前記第一入力部にアクションされる前の初期状態として、複数種類の制御信号のうちいずれか１つのアイコンのみを、前記アイコン表示部に表示させる表示制御部とを有し、
前記制御部、又は前記入力制御部は、前記第一入力部が前記待機状態から前記起動状態に遷移した時に、前記第一入力部にアクションされる前の初期状態として、前記アイコン表示部に表示されたアイコンで示される制御信号を、出力する制御信号として選択することを特徴とする請求項１又は８に記載の車両用携帯機。
【請求項２１】
前記車両のドアが施錠されているか解錠されているかを判別する施錠状態判別部を有し、
前記表示制御部は、前記施錠状態判別部により前記ドアが施錠されていると判別された場合には、前記初期状態として、前記アイコン表示部に、前記ドアの解錠を示した前記アイコンを表示させ、前記ドアが解錠されていると判別された場合には、前記初期状態として、前記アイコン表示部に、前記ドアの施錠を示した前記アイコンを表示させ、
前記制御部、又は前記入力制御部は、前記施錠状態判別部により前記ドアが施錠されていると判別された場合には、前記初期状態として、前記ドアの解錠を指示する制御信号を、出力する制御信号として選択し、前記ドアが解錠されていると判別された場合において、前記初期状態として、前記ドアの施錠を指示する制御信号を、出力する制御信号として選択することを特徴とする請求項２又は２０に記載の車両用携帯機。
【請求項２２】
前記車両用携帯機が前記車両の内外のどちらに存在するかを判別する携帯機判別部と、
前記車両用携帯機が前記車両の内に存在すると判別された場合には、前記第一入力部をユーザーからのアクションに対し動作しない待機状態とし、又は前記制御部による前記制御信号の出力を禁止する携帯機操作制限部とを有することを特徴とする請求項１〜２１のいずれか１項に記載の車両用携帯機。
【請求項２３】
前記車両のメカキー（３０）を保持する保持機構（３８、３９）と、
前記メカキーの保持の解除を指示する解除スイッチとを有し、
前記保持機構は、前記メカキーを保持状態にする保持位置と、解除状態にする解除位置との間で移動する移動体（３８）を有し、前記解除スイッチが操作された場合には、電磁力により、前記移動体を前記保持位置から前記解除位置に移動させることを特徴とする請求項１、２、５、６のいずれか１項に記載の車両用携帯機。
【請求項２４】
前記車両のメカキーを保持する保持機構（４０、４１）と、
前記メカキーの保持の解除を指示する解除スイッチとを有し、
前記保持機構は、磁力により前記メカキーを保持し、前記解除スイッチが操作された場合には、前記メカキーを保持する磁力を無効にすることで、前記メカキーの保持を解除することを特徴とする請求項１、２、５、６のいずれか１項に記載の車両用携帯機。
【請求項２５】
前記車両のメカキーを保持する保持機構と、
前記メカキーの保持の有無を検知するセンサと、
前記センサの検知結果に基づいて、前記メカキーが保持されていること、又は保持されていないことをユーザーに通知する通知手段とを有することを特徴とする請求項１〜２４のいずれか１項に記載の車両用携帯機。
【請求項２６】
前記アイコン表示部は、
前記制御信号ごとの前記アイコン（４７ａ、４９ａ）が印刷されて、前記アイコンの部分は光を透過するグラフィックシート（４７、４９）と、
前記グラフィックシートの背面側に配置されて、表示する前記アイコンに光を供給する光供給部とを有することを特徴とする請求項１９に記載の車両用携帯機。
【請求項２７】
前記第一入力部（５４、５５）は、前記制御信号の種類ごとに操作範囲が分けられており、同一種類の前記制御信号が選択される前記操作範囲が、前記車両用携帯機の外面の少なくとも２箇所に配置されていることを特徴とする請求項１〜２６のいずれか１項に記載の車両用携帯機（６０）。
【発明の詳細な説明】
【技術分野】
【０００１】
本発明は、例えば、車両のドアの施開錠の遠隔操作や、車両のエンジンの始動等の操作に用いる車両用携帯機に関する。
【背景技術】
【０００２】
従来、例えば特許文献１に示されるように、上部カバーと下部カバーとによって構成される内部空間に、上部より、ノブ部材と、防水カバーと、上面にスイッチ、下面にアンテナ素子を備えた基板と、が順次配置されてなる携帯機が提案されている。該携帯機は、ユーザーがノブ部材を押圧して、ノブ部材とともに防水カバーを撓ませることで、基板に設けられたスイッチに押圧力が作用されるようになっている。
【０００３】
ところで、特許文献１に示される携帯機では、防水カバーとスイッチとが直接接触する構成となっている。したがって、ユーザーの押圧によって、防水カバーとスイッチとが線接触、若しくは点接触し、防水カバーにスイッチから局所的な応力が作用し、これによって防水カバーが破損する虞がある。特に、車両のウインドウの昇降などを、スイッチの長押しによって操作する場合、防水カバーとスイッチとが長時間線接触、若しくは点接触することとなるので、防水カバーにスイッチから局所的な応力が長時間作用し、防水カバーが破損する虞がある。
【０００４】
この問題を解決するために特許文献２では、防水カバーとスイッチの間に可撓性シートを配置することで、可撓性シートから防水カバーに均一な応力が作用するようにしている。その結果、スイッチから防水カバーに局所的な応力が作用することがなくなり、防水カバーの破損が抑制される。
【先行技術文献】
【特許文献】
【０００５】
【特許文献１】特開２００４−１５０１８４号公報
【特許文献２】特許第５２８７３３０号公報
【発明の概要】
【発明が解決しようとする課題】
【０００６】
しかしながら、上記発明においても可撓性シートを追加する必要があるため、部品が増えることによる組立工数ＵＰと、部品コストＵＰが問題となっている。さらに、可撓性シートを追加してもユーザーからの押圧力が高荷重になった場合、可撓性シートの破れや、防水カバーの破損、タクトスイッチの故障等が発生する可能性は０ではない。
【０００７】
本発明は、上記のような課題を解決するためになされたもので、ユーザーの操作による携帯機の機械的な破壊の発生を抑制でき、部品点数を削減できる車両用携帯機を提供することを目的とする。
【課題を解決するための手段】
【０００８】
上記課題を解決するために、本発明の車両用携帯機は、車両のユーザーに所持されて、携帯機本体の外形を構成するハウジング内に、前記車両を制御するための複数種類の制御信号のうち選択された制御信号を出力する制御部と、前記制御部が出力した前記制御信号の電波を送信する送信部とを有する車両用携帯機において、
前記複数種類の制御信号のうち前記制御部に出力させる前記制御信号の種類を選択する第一入力部を有し、
前記第一入力部は機械的な断続接点を持たないスイッチにより構成されたことを特徴とする。
【０００９】
本発明によれば、制御部が出力する制御信号の種類を選択する第一入力部を、静電容量スイッチ等の機械的な断続接点を持たないスイッチにより構成しているので、第一入力部に対するユーザーの操作によって機械的な破壊が発生するのを抑制できる。また、機械的な断続接点を持たないスイッチを採用することで、機械的な断続接点を動かすためのノブ等の部品を削減できるし、機械的な破壊を防ぐための部品（特許文献２の可撓性シート等）の点数を削減できる。また、本発明を採用することで、今まで基板上にしかスイッチを配置できなかった制約がなくなり、基板上方以外や、３Ｄ曲面等にスイッチを配置することが可能となる。結果、従来あった車両用携帯機のデザイン制約が取り払われるため、新しいデザインの車両用携帯機の提案が可能となる。
【図面の簡単な説明】
【００１０】
【図１】携帯機の正面図である。
【図２】携帯機の側面図である。
【図３】携帯機の背面図である。
【図４】携帯機の分解斜視図である。
【図５】図１のＡ−Ａ線で携帯機を切ったときの断面図である。
【図６】図１のＢ−Ｂ線で携帯機を切ったときの断面図である。
【図７】メカキーが保持された状態を携帯機の背面側から見た図である。
【図８】メカキーが保持された状態を携帯機の内側から見た図である。
【図９】メカキーの保持が解除された状態を携帯機の背面側から見た図である。
【図１０】メカキーの保持が解除された状態を携帯機の内側から見た図である。
【図１１】変形例１に係る携帯機の背面図である。
【図１２】ユーザーのアクションに対して振動によるフィードバックを発生させる構造を例示した図であり、第一入力部の操作部３周辺の断面図である。
【図１３】ソレノイドを用いたメカキーの保持機構を示した図であり、メカキーが保持された状態を示した図である。
【図１４】ソレノイドを用いたメカキーの保持機構を示した図であり、メカキーの保持が解除された状態を示した図である。
【図１５】磁力を用いたメカキーの保持機構を示した図であり、メカキーが保持された状態を示した図である。
【図１６】磁力を用いたメカキーの保持機構を示した図であり、メカキーの保持が解除された状態を示した図である。
【図１７】右利き用のグラフィックシートにより構成された携帯機の正面図である。
【図１８】左利き用のグラフィックシートにより構成された携帯機の正面図である。
【図１９】図１７とは別の右利き用のグラフィックシートにより構成された携帯機の正面図である。
【図２０】図１８とは別の左利き用のグラフィックシートにより構成された携帯機の正面図である。
【図２１】同一種類の制御信号を選択する操作範囲が、携帯機の外面の少なくとも２箇所に配置された例を説明する図であり、変形例１１に係る携帯機の正面図である。
【図２２】変形例１１に係る携帯機の使用方法を説明する図である。
【発明を実施するための形態】
【００１１】
以下、本発明の実施形態を図面を参照しながら説明する。図１は、本実施形態の車両用携帯機１（以下単に携帯機という）の正面図を示している。携帯機１は、車両のユーザーに所持されて、車両ドアの施開錠等、車両の遠隔操作をするために用いられる。
【００１２】
携帯機１は、図１の正面視及び図３の背面視で略楕円状の外形を有する。また携帯機１は、図２の側面図に示されるように、一定幅の厚さの外形を有する。また、携帯機１は、正面に、後述する制御ＩＣ２６（図４参照）が出力する制御信号の種類、すなわち携帯機１から送信される電波の内容（車両の制御内容）を選択する第一入力部の操作部３（以下操作部を第一入力部という場合もある）、本発明の第二入力部及び第三入力部として機能する入力部（以下、第二入力部という）のノブ５（以下、ノブを第二入力部という場合もある）、及び制御ＩＣ２６が出力する各制御信号の内容、つまり車両の制御内容を示したアイコン１２を点灯表示するアイコン表示部４を有する。
【００１３】
携帯機１の使い方を説明すると、ユーザーは、ノブ５を操作して第一入力部３を起動状態（入力受付を可能とする状態）とした後、第一入力部３により携帯機１に送信させる制御信号（電波）の種類を選択する。選択された制御信号のアイコン１２がアイコン表示部４に表示される。その後、ノブ５を操作することで、アイコン表示部４に表示されたアイコン１２に対応する制御信号、つまり第一入力部３により選択された制御信号の電波が携帯機１から送信される。車両に搭載された車載装置は、携帯機１からの電波を受信した場合には、この電波に含まれた制御信号に基づいて、車両ドアのロック又はアンロックするなどの制御信号に応じた制御を実行する。
【００１４】
以下、携帯機１の構成の詳細を説明する。図４は、携帯機１の分解斜視図を示している。図５は、図１のＡ−Ａ線で携帯機１を切ったときの断面（Ａ−Ａ断面）を示している。図６は、図１のＢ−Ｂ線で携帯機１を切ったときの断面（Ｂ−Ｂ断面）を示している。携帯機１は、携帯機本体の外形を構成する樹脂製のハウジング２（筐体、ケース）を有する。そのハウジング２は、上カバー６と下カバー７とから構成され、それらカバー６、７が外周部にて嵌合されることでハウシング２の内部に各部品の収容空間が形成されている。上カバー６が携帯機１の正面側（各入力部３、５やアイコン表示部４が配置された側）に配置、つまり携帯機１の正面を構成し、下カバー７が携帯機１の背面側に配置、つまり携帯機１の背面を構成する。
【００１５】
ハウジング２内には、上カバー６から下カバー７のほうに向かって順に、ノブ５、アクリルカバー１０、フレキシブルプリント基板１４（ＦＰＣ：Ｆｌｅｘｉｂｌｅ  Ｐｒｉｎｔｅｄ  Ｃｉｒｃｕｉｔｓ。以下、ＦＰＣという）、ＦＰＣ貼付台２２、ゴムカバー２３、回路基板２４、及びメカキー３０（メカニカルキー）が収容されている（図４、図５、図６参照）。また、メカキー３０の近くにはメカキー３０を保持する保持機構としてのリリースフック２８及びスプリング２９が収容されている。
【００１６】
図１の紙面上方向を携帯機１の上部、紙面下方向を携帯機１の下部、紙面左方向を携帯機１の左部、紙面右方向を携帯機１の右部としたとき、上カバー６の右下には開口９（図４参照）が形成されている。その開口９は、大小２つの円を繋げたような形状に形成される。開口９（開口９の大円部）には、正面視で円形のノブ５が配置される。そのノブ５は、ユーザーにより押下操作（プッシュ操作）が行われる操作部である。ノブ５は、裏側に突起部５ａ（図６参照）を有する。ノブ５が押下されると、ノブ５がＦＰＣ１４側に移動し、その移動に伴い突起部５ａがＦＰＣ１４上に実装された内部スイッチ１８の機械的接点を導通させる。これにより、ノブ５が操作されたことが検知される（第二入力部の入力が行われる）。
【００１７】
また、上カバー６には、開口９に比べて大きい略楕円状の開口８（図４参照）が形成されている。その開口８は図１の正面から見て右側に傾いており、詳しくは、開口８の長手方向の一方の端部が上カバー６の左側部に寄っており、他方の端部が上カバー６の右側部に寄っている。つまり、開口８は、図１の左下から右上に伸びるように形成されている。
【００１８】
アクリルカバー１０は、アクリルやポリカーボネート等の透明な樹脂やガラス等を基材として構成されている。アクリルカバー１０は、正面視で携帯機１の外形より若干小さい略楕円状、かつ板状に形成されている。アクリルカバー１０の表面には、他の部分よりも若干盛り上がった部分３が形成され、この部分３が第一入力部の操作部とされる。なお、操作部の形状については、平面、もしくはすり鉢（凹）形状等、ユーザーが操作しやすい形状であれば良い。操作部３は、開口８内において、開口８の外周（略楕円状の外周）の短手方向の一方の側（図１では右側）に寄った位置に配置される。また、操作部３は、図１の正面から見て、開口８と同様に右側に傾いているとともに、開口８の長手方向と同じ方向に長い細長状（略楕円状）に形成されている。操作部３の表面又は裏面には、加飾が施されている。
【００１９】
操作部３は、ユーザーによってタッチ操作が行われる部分であり、アイコン表示部４に表示されるアイコン１２ごとの操作範囲３ａ〜３ｅに分けられている（図１参照）。詳しくは、本実施形態では５つのアイコン１２ａ〜１２ｅが表示されるが、第１のアイコン１２ａの隣りの位置にある操作部３の範囲３ａは第１のアイコン１２ａで示される制御信号（車両ドアのロック）を選択するための操作範囲に設定されている。第２のアイコン１２ｂの隣りの位置にある操作部３の範囲３ｂは第２のアイコン１２ｂで示される制御信号（車両ドアのアンロック）を選択するための操作範囲に設定されている。第３のアイコン１２ｃの隣りの位置にある操作部３の範囲３ｃは第３のアイコン１２ｃで示される制御信号（トランクの開錠）を選択するための操作範囲に設定されている。第４のアイコン１２ｄの隣りの位置にある操作部３の範囲３ｄは第４のアイコン１２ｄで示される制御信号（左側パワースライドドアの開錠）を選択するための操作範囲に設定されている。第５のアイコン１２ｅの隣りの位置にある操作部３の範囲３ｅは第５のアイコン１２ｅで示される制御信号（右側パワースライドドアの開錠）を選択するための操作範囲に設定されている。これら５つの操作範囲３ａ〜３ｅが、アイコン１２ａ〜１２ｅの配置方向に沿って一列に繋がっている。なお、図１では、操作範囲３ａ〜３ｅの境界を点線で図示しているが、実際は境界は表示されていない。
【００２０】
アクリルカバー１０には、操作部３に隣接した位置において操作部３の長手方向に沿うように複数（図１では５つ）のアイコン１２（アイコン表示部４）が形成されている。これらアイコン１２は、開口８内に配置され、詳しくは、開口８の外周の短手方向のうち操作部３が寄った側と反対側（図１では左側）に寄った位置に配置される。また、複数のアイコン１２は、開口８の長手方向と同じ方向に一列に並べて配置されている。
【００２１】
操作部３を除くアクリルカバー１０の表面又は裏面は、アイコン１２の部分を除いて遮光性の材料で印刷されている。アイコン１２の部分は、後述するＬＥＤ１６（図４参照）による点灯が無い時に視認されにくくするために、スモーク調に形成されており、ＬＥＤ１６が点灯した時は光を透過し、アイコン１２を表示する。
【００２２】
本実施形態では、５つのアイコン１２が形成されているが、例えば、第１のアイコン１２ａは車両ドアのロックを示すアイコン、第２のアイコン１２ｂは車両ドアのアンロックを示すアイコン、第３のアイコン１２ｃは車両のトランクの開錠を示すアイコン、第４のアイコン１２ｄは車両の左側パワースライドドアの開錠を示すアイコン、第５のアイコン１２ｅは車両の右側パワースライドドアの開錠を示すアイコンである。なお、アイコン１２の個数、及び内容は上記した個数、内容に限定されるものではなく、例えば、車両のエンジン始動を示したアイコンや、車両のウィンドウの開閉を示したアイコンを表示しても良い。この場合には、車両のエンジン始動を指示する制御信号やウィンドウの開閉を指示する制御信号の電波が携帯機１から送信される。また、アイコン表示部４に、車両の制御に関係するアイコン１２だけでなく、携帯機１の電池の残量表示や、メカキー３０の保持状態等の携帯機の状態を示すアイコンを表示しても良い。
【００２３】
アクリルカバー１０の右下（図１の方向から見て右下）には、ノブ５の載置部１３が形成されている（図４参照）。その載置部１３の底面には、アクリルカバー１０の背面まで貫通する貫通孔が形成されており、その貫通孔にはノブ５の突起部５ａが挿入される。また、アクリルカバー１０は、上カバー６とＦＰＣ１４の間で挟み込まれる形で保持されている。
【００２４】
ＦＰＣ１４は、アクリルカバー１０の背面側に配置されている。また、ＦＰＣ１４は、ＦＰＣ貼付台２２を間に挟んで回路基板２４の上に重なる位置関係となるように配置されている。ＦＰＣ１４は、正面から見てアクリルカバーと同様の形状、つまり正面視で携帯機１の外形より若干小さい略楕円状、かつフィルム状に形成される。ＦＰＣ１４は、柔軟性を有するように、回路基板２４よりも薄い厚さに形成される。ＦＰＣ１４は、例えば、フィルム状の絶縁体（ベースフィルム）の上に接着層を介して導体箔が貼りあわされた構造を有する。ＦＰＣ１４は、ＦＰＣ貼付台２２に両面テープ３１（図５参照）により固定されている。なお、ＦＰＣは上記実施形態に限定されるものではない。ＦＰＣの代わりにリジッド基板やＰＥＴフィルム、ＩＴＯフィルム等を用いても良い。また、ＦＰＣの固定方法についても両面テープではなく、ＦＰＣ貼付台に係止部（熱カシメやスリット等）を設けても良い。また、ＦＰＣと回路基板の位置関係についても重なることなく側面に配置しても良い。
【００２５】
ＦＰＣ１４の表面には各種部品が実装されている。詳しくは、ＦＰＣ１４の、操作部３の対向位置には、操作部３に対するユーザーのアクション（タッチ操作）を検知するセンサ部１５が実装されている。そのセンサ部１５は、機械的な断続接点を持たないスイッチとして構成され、具体的には例えば静電容量スイッチのセンサ電極である。ここで、静電容量スイッチとは、センサ電極と、物体（指）によって構成されるコンデンサの静電容量変化を検知する原理のスイッチをいう。静電容量スイッチで指の接近を検知するには、センサ電極に電圧（高周波電圧）を印加しておく必要がある。また、機械的な断続接点とは、操作部に加えられた力を受けて、スイッチの固定接点と接続し又は切断するように移動するスイッチの可動接点をいう。
【００２６】
センサ部１５（センサ電極）は導電性を有する金属（例えば銅箔）により形成される。センサ部１５は、操作部３の対向位置において操作部３の長手方向と同じ方向に伸びるように形成されている。詳しくは、センサ部１５は、操作部３の全操作範囲３ａ〜３ｅをカバーするように設けられ、より詳しくは、操作部３の長手方向と同じ方向に沿って配列された、互いに分離された複数の電極から構成される。操作部３が操作された場合には、その操作位置に近い位置にある電極ほど、大きい静電容量変化を示す信号が出力される。これによって、操作部３の操作範囲３ａ〜３ｅのうちどの操作範囲が操作されたのかを判別可能となっている。なお、操作部３及びセンサ部１５が第一入力部である。
【００２７】
また、ＦＰＣ１４には、静電容量スイッチの一部を構成するセンサ制御ＩＣ２１が実装されている。そのセンサ制御ＩＣ２１は、センサ部１５への電圧供給を制御したり、センサ部１５により構成されるコンデンサの静電容量変化を検知したりする回路である。センサ制御ＩＣ２１によって、センサ部１５に電圧が加えられた状態になると、センサ部１５は、操作部３に対するユーザーのアクションを検知可能な状態、つまりユーザーからのアクションに対し動作（反応）する起動状態となる。これに対し、センサ制御ＩＣ２１によって、センサ部１５への電圧供給が遮断された場合には、センサ部１５は、操作部３に対するユーザーのアクションを検知しない状態、つまりユーザーからのアクションに対し動作（反応）しない待機状態となる。センサ制御ＩＣ２１の作用を含む携帯機１の作用の詳細は後述する。
【００２８】
なお、センサ部１５及びセンサ制御ＩＣ２１による操作部３に対するアクションの検知方式は、機械的な断続接点を有しないスイッチであるのであれば、静電容量方式に限られず、例えば、超音波表面弾性波方式、音響パルス認識方式、赤外線遮光方式などを原理としたスイッチを採用しても良い。なお、タッチ操作の各種の検知方式（機械的な断続接点を有しないスイッチ）は、例えば、ＵＲＬ：http://www.technoveins.co.jp/technical/explain/touchpanel.htmに記載されている。
【００２９】
また、ＦＰＣ１４上には、アイコン１２に光を供給する光供給部１６、１７が設けられている。その光供給部１６、１７は、アイコン１２ごとに個別に設けられている。各光供給部１６、１７は、各アイコン１２の対向位置に配置されており、詳しくは、光源としてのＬＥＤ（発光ダイオード）１６と、ＬＥＤ１６からの光をアイコン１２の対向位置まで導いて、アイコン１２の方に光を出射させる導光部１７（ライトガイド）とを含む。ＬＥＤ１６は、ＦＰＣ１４に実装されている。導光部１７は、ＬＥＤ１６に隣接し且つアイコン１２の対向位置に配置されるのであれば、どこに取り付けられたとしても良く、例えばＦＰＣ１４に粘着性のスペーサを介して取り付けられても良いし、ＦＰＣ貼付台２２やアクリルカバー１０に取り付けられても良い。導光部１７はアクリル樹脂など透明な導光材により形成されている。導光部１７から出射された光が、アイコン１２の背面に入射して、入射した光がアイコン１２の表面から出射することで、アイコン１２が点灯（表示）される。
【００３０】
さらに、ＦＰＣ１４には、ノブ５に対するユーザーのアクション（押下操作）を検知する内部スイッチ１８が実装されている。その内部スイッチ１８は、機械的な断続接点を持つスイッチであり、具体的には例えばメタルドーム、タクトスイッチ、メンブレンスイッチ、接点付ラバースイッチ等である。なお、ノブ５及び内部スイッチ１８が第二入力部である。この第二入力部５、１８は、第一入力部３、１５を待機状態から起動状態に遷移させるための入力部（本発明の第三入力部）と、制御ＩＣ２６に対し制御信号の出力を指示するための入力部（本発明の第二入力部）として機能する。
【００３１】
ＦＰＣ１４上には、内部スイッチ１８を取り囲む位置に、ノブ５の周囲領域（上カバー６の開口９）に光を供給する光供給部１９、２０が設けられている。その光供給部１９、２０は、アイコン１２の光供給部１６、１７と同様に、ＬＥＤ１９と導光部２０とから構成されている。導光部２０から出射された光が、アクリルカバー１０に入射し、入射した光がノブ５と開口９との間に介在するアクリルカバー１０からから出射することで、ノブ５の周囲が点灯する。
【００３２】
なお、ＬＥＤ１６、１９の点灯制御はセンサ制御ＩＣ２１が行っても良いし、回路基板２４に実装された制御ＩＣ２６が行っても良い。また、内部スイッチ１８がオンされたか否かの判定処理は、センサ制御ＩＣ２１が行っても良いし、回路基板２４に実装された制御ＩＣ２６が行っても良い。
【００３３】
回路基板２４にはコネクタ３２（図５、図６参照）が実装されており、そのコネクタ３２を介してＦＰＣ１４は回路基板２４と電気的に繋がっている。詳しくは、ＦＰＣ１４から伸びたテール部３３（図５参照）がコネクタ３２に接続されている。ＦＰＣ１４と回路基板２４とが電気的に繋がることで、ＦＰＣ１４に実装された各部品（センサ制御ＩＣ２１、センサ部１５、内部スイッチ１８、ＬＥＤ１６、１９）には、回路基板２４に実装された電源部２７からの電力供給が可能となる。また、回路基板２４に実装された制御ＩＣ２６と、ＦＰＣ１４に実装されたセンサ制御ＩＣ２１とが通信可能となる。さらに、ＬＥＤ１６、１９の点灯制御や内部スイッチ１８のオンオフ判定を制御ＩＣ２６が行うこともできる。なお、ＦＰＣ１４とコネクタ３２の接続には、リード線や、基板間コネクタを用いても良い。また、コネクタを介さずＦＰＣと回路基板が一体となっていても良い。
【００３４】
ＦＰＣ貼付台２２は、ＦＰＣ１４の背面側に配置されて、ＦＰＣ１４を保持する。ＦＰＣ貼付台２２は爪部を有し、その爪部が上カバー６、下カバー７の内面に形成された係合部に引っ掛かるとともに、上カバー６と下カバー７の間で挟みこまれることで、ＦＰＣ貼付台２２は保持されている。また、ＦＰＣ貼付台２２の背面側には、回路基板２４の方に伸びた爪部が形成され、その爪部が回路基板２４の背面外周部に引っ掛かることで、回路基板２４が保持されている。なお、ＦＰＣ貼付台及び回路基板の固定方法は、上記実施形態に限定されるものではない。ＦＰＣ貼付台はアクリルカバーに固定されても良いし、回路基板は下カバーや、ゴムカバーに取り付けられても良い。
【００３５】
ゴムカバー２３は、ゴム材によりリング状に形成され（図４参照）、回路基板２４を取り囲む位置において、ＦＰＣ貼付台２２と下カバー７の間で挟み込まれるように配置される。ゴムカバー２３が設けられることで、携帯機１内に水分等の異物が侵入するのを防いでいる。つまり、ゴムカバー２３はシール部として機能する。なお、ゴムカバーの形状はリング状に限ったものではなく、上カバーと下カバーや、下カバーとアクリルカバーの間に挟み込むことでシール機能を発揮しても良い。
【００３６】
回路基板２４は、ＦＰＣ貼付台２２の背面側に配置されて、上述したようにＦＰＣ貼付台２２により保持されている。回路基板２４は、柔軟性を有しない通常のリジッド基板を基材として構成されている。回路基板２４上には各種部品が実装されている。詳しくは、回路基板２４の表面（上カバー６側）にはアンテナ部２５が実装されている。そのアンテナ部２５は、制御ＩＣ２６から出力される制御信号の電波、つまり、車両の各種制御（ドアの施開錠等）を指示する電波を送信する送信アンテナを含む。なお、回路基板の基材は上記実施形態に限定されるものではない。リジッド基板ではなく柔軟性を持つＦＰＣを用いても良い。また、回路基板上に実装されている部品についても上記実施形態に限定されるものではない。ＦＰＣ上にアンテナ部や制御ＩＣが実装されていても良い。
【００３７】
なお、携帯機１が、車両との間の双方向通信に基づき車両制御を行う電子キーシステム（いわゆるスマートエントリーシステム）に対応したものである場合には、アンテナ部２５は、車両から送信される電波を受信する受信アンテナも含む。
【００３８】
ここで、スマートエントリーシステムでは、車両の駐車時（乗車前）においては車両に搭載された車載装置から応答を要求するリクエスト信号の電波を、車両の周辺エリア（車両から数ｍの範囲）に周期的に送信する。携帯機は、そのリクエスト信号の電波を受信した場合には、ＩＤコードを含むレスポンス信号の電波を送信する。車載装置はそのレスポンス信号の電波を受信した場合には、レスポンス信号に含まれたＩＤコードと、マスターＩＤコードとの照合を行い、照合可の場合には、車両ドアのアンロックを許可する。また、車室内には、スタートスイッチ（プッシュスイッチ）が設けられ、車載装置は、そのスタートスイッチが操作された時に、車内アンテナから車内にリクエスト信号の電波を送信する。そして、そのリクエスト信号に応答するレスポンス信号の電波を受信した場合には、上述した照合を行い、照合可の場合にはイグニッション電源やアクセサリ電源をオンにしたり、エンジンを始動させたりする。
【００３９】
また、降車時においては、車載装置は、降車したユーザーがドアハンドル付近に設けられたロックスイッチが操作された時に、車外アンテナから車両周辺エリアにリクエスト信号の電波を送信する。そして、車載装置は、そのリクエスト信号に応答するレスポンス信号の電波を受信した場合には、上述した照合を行い、照合可の場合にはドアを施錠する。
【００４０】
回路基板２４の表面には制御ＩＣ２６が実装されている。その制御ＩＣ２６は、ＣＰＵ、ＲＯＭ、ＲＡＭ等から構成され、携帯機１の全体制御を司る部分である。制御ＩＣ２６は、操作部３の操作内容に基づいて、予め定められた複数種類の制御信号のうち一つを選択し、その選択した制御信号をアンテナ部２５に出力し、アンテナ部２５に制御信号の電波を送信させる。制御ＩＣ２６が出力する制御信号は、アイコン１２ａ〜１２ｅの内容と対応しており、具体的には例えば車両ドアのロックを指示する制御信号、アンロックを指示する制御信号、トランクの開錠を指示する制御信号、左側パワースライドドアの開錠を指示する制御信号、右側パワースライドドアの開錠を指示する制御信号である。
【００４１】
また、携帯機１がスマートエントリーシステムに対応している場合には、制御ＩＣ２６は、スマートエントリーシステムに関する処理も実行する。すなわち、制御ＩＣ２６は、アンテナ部２５が車両からのリクエスト信号を受信した場合には、そのリクエスト信号に応答するレスポンス信号を生成して、それをアンテナ部２５に出力して送信させる。制御ＩＣ２６の作用を含む携帯機１の作用の詳細は後述する。
【００４２】
また、回路基板２４の背面（下カバー７側）には上述のコネクタ３２及び電源部２７が実装されている（図６参照）。電源部２７は、ボタン型の電池と、その電池と電気的に接続する電極、電池を収容する収容部とを含んで構成される。電源部２７からの電力が、回路基板２４の各部品（制御ＩＣ２６、アンテナ部２５）及びＦＰＣ１４の各部品に供給されるようになっている。なお、電源部は上記実施形態に限定されるものではない。ボタン型電池ではなく、乾電池や、蓄電式電池（リチウム電池等）等を用いても良い。
【００４３】
メカキー３０（エマージェンシーキーとも言う）は、車両に設けられたキーシリンダに挿入して、直接に車両ドアやトランク等の施開錠を行うキーである。このメカキー３０は、例えば電源部２７の電池切れにより携帯機１の通信機能が使用不能になっている時の非常用として用いられる。
【００４４】
メカキー３０は、キーシリンダに挿入されるキー部３０ａと、キー部３０ａをキーシリンダに挿入する際にユーザーによって把持される把持部３０ｂとを有する。把持部３０ｂは、メカキー３０が携帯機１に保持された状態にあるときに、携帯機１の外形の一部、詳しくは携帯機１の下側側面を構成する。そのため、把持部３０ｂは円弧状に湾曲した表面を有する。キー部３０ａは、円弧状に湾曲した把持部３０ｂの円弧の一端側に接続されて、細長い板状に形成されている。
【００４５】
メカキー３０は、ハウジング２内に収容保持できるようになっている。詳しくは、下カバー７の内側にはキー部３０ａを収容するための筒状部３４（図４、図５参照）が形成されている。その筒状部３４は、図１の方向から見て、下カバー７の右側の外周に寄った位置において、下カバー７の長手方向に伸びるように断面四角形の筒状に形成されている。また、ハウジング２の下部（図１の方向から見て下部）には、把持部３０ｂを収容するための凹部２ａ（図２、図６参照）が形成されている。キー部３０ａが筒状部３４に収容（挿入）され、把持部３０ｂ凹部２ａに収容されることで、メカキー３０は携帯機１に収容された状態となる。
【００４６】
携帯機１には、メカキー３０の収容状態を保持する保持機構として機能するリリースフック２８及びスプリング２９が備えられている。ここで、図７は、図３のＣ部（携帯機背面の下部）を抜き出した図、つまり、メカキーが保持された状態を携帯機の背面側から見た図である。図８は、図３のＣ部と同じ位置における下カバー７及び保持機構２８、２９を下カバー７の内面側から見た図であり、メカキーが保持された状態を携帯機の内側から見た図である。図８に示すように、下カバー７の内側の下部には、リリースフック２８及びスプリング２９を収容する収容部７ａが形成されている。リリースフック２８は、図８の方向から見て左右に細長い形状を有して、収容部７ａにおいて左右方向に摺動可能に配置される。
【００４７】
スプリング２９は、リリースフック２８の長手方向の一端と収容部７ａの壁面との間において、リリースフック２８を図８の左方向に常時付勢した状態で配置されている。また、リリースフック２８の長手方向における他端側（スプリング２９と接触した端部と反対側の端部側）には突起片２８ｂが形成されている。メカキー３０が携帯機１に収容されると、メカキー３０に形成された突起片３０ｃと、リリースフック２８の突起片２８ｂとが嵌合することで、メカキー３０の引き抜きができないようになる。つまり、メカキー３０は携帯機１（ハウジング２）に保持される。
【００４８】
次に、メカキー３０の引抜き方法を説明する。図７に示すように、下カバー７の下部には貫通孔７ｂが形成されている。また、リリースフック２８には解除用のノブ２８ａ（以下、解除ノブという）が形成されている。その解除ノブ２８ａが貫通孔７ｂに配置されることで、下カバー７の背面に解除ノブ２８ａが露出している。このとき、解除ノブ２８ａは、図７の方向から見て貫通孔７ｂの右側に寄った位置に配置される。
【００４９】
メカキー３０の引き抜く際には、図９に示すように、解除ノブ２８ａを図９の左側に移動させる。すると、図１０に示すように、スプリング２９の付勢力に抗してリリースフック２８が、解除ノブ２８ａの移動方向、つまり図１０の右方向（図９の左方向）に移動する。この移動に伴い、突起片２８ｂ、３０ｃの嵌合が解除されて、メカキー３０を下方に引き抜くことが可能となる。
【００５０】
また、図１０に示すように、突起片２８ｂには傾斜部２８ｃが形成されている。メカキー３０を携帯機１に収容する際に、メカキー３０の突起片３０ｃと傾斜部２８ｃとが接触し、この状態でメカキー３０を上方に押し込むと、リリースフック２８がスプリング２９の付勢力に抗して図１０の右方向に移動する。その後、メカキー３０を所定の収容位置まで移動させて、突起片３０ｃと傾斜部２８ｃとの接触が解除されると、スプリング２９の付勢によりリリースフック２８は図８の位置、つまりメカキー３０を保持する保持位置まで移動する。このように、メカキー３０を保持する際には、解除ノブ２８ａを動かさなくても、メカキー３０をハウジング２内に差し込むだけで、保持機構２８、２９による保持が作用する。
【００５１】
次に、携帯機１の作用を説明する。センサ制御ＩＣ２１は、第二入力部のノブ５が操作されるまでは、消費電力を抑えるために、センサ部１５への電力供給を停止して、第一入力部３、１５を上記した待機状態にする。また、センサ制御ＩＣ２１又は制御ＩＣ２６は、ノブ５が操作されるまでは、ＬＥＤ１６、１９を消灯する。
【００５２】
センサ制御ＩＣ２１は、ノブ５に対するユーザーからのアクション（ノブ５の操作）を検知した場合には、センサ部１５への電力供給を開始して、第一入力部３、１５を上記した起動状態にする。なお、内部スイッチ１８は、ノブ５が操作された時に操作されたことを示す信号、すなわち、第一入力部３、１５を待機状態から起動状態へと遷移させるよう指示する信号を出力する。また、センサ制御ＩＣ２１又は制御ＩＣ２６は、第一入力部３、１５が起動状態に遷移した時にＬＥＤ１６、１９を点灯させる。このとき、全てのアイコン１２のＬＥＤ１６を点灯させる。これによって、全てのアイコン１２及びノブ５の周囲が点灯するので、ユーザーに、第一入力部３、１５が起動状態に遷移したことを容易に把握させることができる。
【００５３】
ユーザーは、第一入力部３、１５が起動状態に遷移したのを確認した後、操作部３をタッチ操作することで、アイコン１２ａ〜１２ｅで示される複数種類の制御信号（車両の制御内容）のうちいずれか一つを選択することができる。このとき、アイコン１２ａ〜１２ｅごとに分けられた操作範囲３ａ〜３ｅは互いに繋がっているので、ユーザーは指を操作部３（操作範囲３ａ〜３ｅ）上でスライドさせ、アイコン表示部４に表示（点灯）されたアイコン１２を確認しながら、所望のアイコン１２を選択できる。ユーザーは、指を操作部３上でスライドさせないで、所望のアイコン１２が選択される操作範囲をピンポイントでタッチ操作することもできる。なお、指を操作部３上でスライドさせている最中は、選択されるアイコン１２が連続的に切り替わることになるが、このときにはアイコン１２（制御信号）の選択は確定していない。スライドさせた指を操作部３から離した位置に対応するアイコン１２（制御信号）が最終的に選択されることになる。
【００５４】
センサ制御ＩＣ２１は、第一入力部３、１５を起動状態に遷移してからの経過時間を計測し、その経過時間が一定時間（例えば数秒〜十数秒）になるまでに第一入力部３、１５に対するユーザーからのアクションが無い場合には、消費電力を抑えるために、第一入力部３、１５を再び待機状態に遷移させる。また、センサ制御ＩＣ２１又は制御ＩＣ２６は、第一入力部３、１５が待機状態に戻るのに連動して、ＬＥＤ１６、１９を消灯する。これによって、アイコン１２の表示（点灯）、及びノブ５の周囲の点灯が消えるので、ユーザーに第一入力部３、１５が待機状態に戻ったのを容易に把握させることができる。
【００５５】
一方、センサ制御ＩＣ２１は、第一入力部３、１５を起動状態に遷移してから一定時間以内に第一入力部３、１５に対するアクションがあった場合には、そのアクションが継続する限り第一入力部３、１５の起動状態を維持する。また、センサ制御ＩＣ２１は、センサ部１５を構成する複数の電極のうちどの電極から静電容量変化信号が出力されたかに基づいて、操作部３の操作範囲３ａ〜３ｅ（図１参照）のうちどの操作範囲が操作されたのかを判定、つまり複数種類の制御信号（アイコン１２）のうちどの制御信号が選択されたのかを判定する。そして、センサ制御ＩＣ２１は、その判定結果（制御信号の選択結果、操作部３の操作結果）を保管する。なお、センサ制御ＩＣ２１は、制御信号の選択結果を制御ＩＣ２６に直ちに通知（ノブ５へのアクション前に通知）し、制御ＩＣ２６が制御信号の選択結果を保管しても良い。
【００５６】
また、センサ制御ＩＣ２１又は制御ＩＣ２６は、起動状態にある第一入力部３、１５に対するユーザーからのアクションがあった場合には、アイコン１２毎に設けられたＬＥＤ１６のうち、操作部３の操作位置に応じたＬＥＤ１６のみ点灯させる。すなわち、例えば、第１の操作範囲３ａに対してアクションがあった場合には、第１のアイコン１２ａのＬＥＤ１６のみを点灯させる。これによって、ユーザーに、現在どのアイコン１２が選択されているのかを容易に把握させることができる。また、センサ制御ＩＣ２１又は制御ＩＣ２６は、第一入力部３、１５に対するユーザーのアクションが終了した後（指が操作部３から離れた後）は、選択されたアイコン１２のＬＥＤ１６のみ点灯を維持する。これによって、ユーザーに、制御信号の選択操作を終了した後も、どの制御信号が選択されているのかを容易に把握させることができる。
【００５７】
ユーザーは、操作部３へのアクションによって１つの制御信号を選択してから一定時間以内にノブ５を操作することで、選択した制御信号の電波を携帯機１から送信させることができる。すなわち、センサ制御ＩＣ２１は、第一入力部３、１５に対するアクションが終了してから一定時間（例えば数秒から数十秒）以内に第二入力部５、１８に対するアクションがあった場合には、保管していた制御信号の選択結果（どの操作範囲が操作されたかの判定結果）を制御ＩＣ２６に通知する。制御ＩＣ２６は、センサ制御ＩＣ２１から通知された選択結果で示される制御信号を、出力する制御信号として選択する。そして、制御ＩＣ２６は、選択した制御信号をアンテナ部２５に出力して、アンテナ部２５にその制御信号の電波を送信させる。このことは、第二入力部５、１８は、第一入力部３、１５に対するアクションが終了してから一定時間以内に第二入力部５、１８に対するアクションがあった場合には、選択された制御信号の出力を制御ＩＣ２６に対し指示することを意味する。
【００５８】
なお、制御信号の選択結果（操作部３の操作結果）を制御ＩＣ２６が保管する場合には、制御ＩＣ２６は、第一入力部３、１５に対するアクションが終了してから一定時間（例えば数秒から数十秒）以内に第二入力部５、１８に対するアクションがあった場合には、保管していた制御信号の選択結果で示される制御信号をアンテナ部２５に出力して、アンテナ部２５にその制御信号の電波を送信させる。
【００５９】
センサ制御ＩＣ２１は、制御ＩＣ２６が制御信号を出力した後、すなわち、アンテナ部２５が電波を送信した後、第一入力部３、１５を待機状態へと遷移させる。その遷移に伴い、センサ制御ＩＣ２１又は制御ＩＣ２６はＬＥＤ１６、１９を消灯する。
【００６０】
一方、センサ制御ＩＣ２１は、第一入力部３、１５に対するユーザーのアクションが終了してから一定時間以内に第二入力部５、１８に対するユーザーのアクションが無い場合には、消費電力を抑えるために第一入力部３、１５を待機状態に遷移させる。この遷移に伴い、センサ制御ＩＣ２１は、保管していた制御信号の選択結果を解除する。また、第一入力部３、１５の待機状態への遷移に伴い、センサ制御ＩＣ２１又は制御ＩＣ２６は、選択されていたアイコン１２のＬＥＤ１６と、ノブ５のＬＥＤ１９とを消灯する。これによって、ユーザーに、制御信号の選択状態が解除されたことを容易に把握させることができる。なお、制御信号の選択結果（操作部３の操作結果）を制御ＩＣ２６が保管する場合には、制御ＩＣ２６は、第一入力部３、１５に対するユーザーのアクションが終了してから一定時間以内に第二入力部５、１８に対するユーザーのアクションが無い場合には、保管していた制御信号の選択結果を破棄する。制御ＩＣ２６は、制御信号の選択状態が解除された後に、第二入力部５、１８に対するアクションがあったとしても、制御信号の出力は行わない。
【００６１】
次に、本実施形態の効果を説明する。本実施形態によれば、制御信号を選択する第一入力部３、１５を機械的な断続接点を持たない静電容量スイッチにより構成したので、機械的な破壊を防ぐための部品点数を抑えつつ、第一入力部３、１５へのアクションに対する機械的な破壊が発生するのを抑制できる。
【００６２】
また、第一入力部３、１５は、第二入力部５、１８へのアクションがあるまでは待機状態となるので、消費電力を抑制できるとともに、制御信号の誤選択を抑制できる。さらに、制御ＩＣ２６は、第一入力部３、１５により制御信号を選択した後、第二入力部５、１８へのアクションを条件として選択した制御信号を出力するので、ユーザーが所望しない電波（制御信号）の誤送信を抑制できる。
【００６３】
また、第一入力部３、１５を起動させるための入力部と、制御信号の出力を指示する入力部とを、第二入力部５、１８で兼用したので、携帯機１の構成を簡素にできる。
【００６４】
また、操作部３は、制御信号ごと（アイコン１２ごと）に分けられた操作範囲３ａ〜３ｅが連続的に繋がっているので、ユーザーは、指を上げなくても、操作部３上でスライドさせることで、所望の制御信号を容易に選択できる。
【００６５】
さらに、操作部３は、携帯機１の正面外形（略楕円状）の幅方向である左右（短手方向）、上下方向（長手方向）に対して斜めに傾いて形成されているので、携帯機１を把持した手の親指で、操作部３をスライド操作しやすくできる。つまり、制御信号の選択を片手で容易に行うことができる。本実施形態では、図１の正面方向から見て、操作部３が右側に傾いているので、右手で携帯機１を把持（携帯機１の背面が右手の手のひらに載せるように把持）した場合に、右手の親指で操作部３をスライド操作しやすくできる。さらに、アイコン表示部４は、操作部３の上側に配置されているので、右手で携帯機１を把持して、右手の親指で操作部３をスライド操作したときに、アイコン表示部４がその親指で隠れてしまうのを防ぐことができる。また、ノブ５は、操作部３の正面の右下に配置されているので、右手で携帯機１を把持した場合に、右手の親指でノブ５を操作しやすくできる。このように、本実施形態における入力部３、５及びアイコン表示部４の配置は、右利きのユーザーにとって操作しやすい配置となっている。
【００６６】
なお、右利きのユーザーの場合、携帯機１の正面がユーザーの方に向くように携帯機１を左手の手のひらに載せた状態で、右手の指（人差し指等）で操作部３、５を操作することも考えられる。この場合であっても、操作部３が右斜めに配置され、アイコン表示部４が操作部３の上側において右斜めに配置されることで、操作部３の操作時にアイコン表示部４が指で隠れにくくなっている。
【００６７】
また、入力部（スイッチ）に関連する構成を、回路基板２４とは別に設けられたＦＰＣ１４上に実装しているので、回路基板２４のサイズを小さくでき、ひいては携帯機１を小型化できる。特に、本実施形態では、ＦＰＣ１４を回路基板２４の表面に重なる位置関係に配置されるので、携帯機１の正面外形を小さくできる。このように、入力部に関連する構成をＦＰＣ１４に実装することで、回路基板２４上にスイッチを設ける必要がなくなり、携帯機１の好きな場所にスイッチ（入力部）を配置できる。そのため、デザイン制約が緩和され、新しいデザインの携帯機１を製作することが可能となる。また、車種展開等で、ボタン数が増減しても、ＦＰＣ１４のみを交換して対応ができるため、回路基板２４の共通化が可能となり、同一デザインでの、車種展開及び、ボタンバリエーションの対応が容易になる。
【００６８】
また、アイコン表示部４が操作部３に隣接した位置に配置されているので、操作部３の操作中にどのアイコン１２（制御信号）が選択されたのかを把握しやすくできる。
【００６９】
なお、本発明は上記実施形態に限定されるものではなく、本発明の趣旨に基づいて種々なる形態で実施することができる。以下、本発明の変形例を説明する。
【００７０】
（変形例１）
上記実施形態では、第一入力部を起動させるための入力部（第三入力部）と、制御信号の出力を指示する入力部（第二入力部）とを、一つの入力部で兼用させた例を説明したが、それら入力部を別々に設けたとしても良い。この場合、ユーザーが意図せず制御信号（電波）が発信されてしまうのを防止するために、例えば、第三入力部を携帯機の正面（第一入力部、第二入力部、アイコン表示部が設けられた面）とは別の面に配置し、具体的には、図１１に示すように例えば携帯機筐体の背面（下カバー７の背面）に第三入力部３５を配置する。
【００７１】
この第三入力部３５は、機械的な断続接点を持つスイッチ（タクトスイッチ等）により構成しても良いし、機械的な断続接点も持たないスイッチ（静電容量スイッチ等）で構成しても良い。第三入力部３５を静電容量スイッチで構成する場合には、第三入力部３５は、下カバー７の背面に配置された操作部と、携帯機のハウジングの内部においてその操作部と対向位置に配置された電極部とから構成される。第三入力部３５の操作部は、例えば下カバー７の背面の一部を加飾印刷することで構成する。また、第三入力部３５のセンサ部は、制御ＩＣが実装された回路基板（図４の回路基板２４）の背面に実装しても良いし、回路基板の背面側に、第一入力部、第二入力部が実装されたＦＰＣとは別のＦＰＣを配置して、そのＦＰＣ上に実装しても良い。第三入力部３５以外の構成は、上記実施形態と同じである。
【００７２】
この変形例１に係る携帯機の作用を説明すると、第三入力部３５に対するユーザーからのアクションにより、第一入力部３、１５が起動状態に遷移する。つまり、変形例１では、ノブ５を操作しても第一入力部３、１５は起動状態にならない。第一入力部３、１５が起動状態になった以降の作用は上記実施形態と同じである。
【００７３】
このように、変形例１では、第一、第二、第三入力部が別々に設けられているので、ユーザーの意図しない携帯機の動作をより一層抑制できる。特に、第三入力部を筐体背面に配置することで、もしユーザーが意図せず筐体背面に触れてしまっても、第一入力部は異なる場所（筐体正面）に配置されているため、同時に動作する可能性は低い。よって、制御信号の誤発信を防止することが可能となる。さらに第一入力部と第三入力部に対し同時にアクションしないと第一入力部が起動状態にならないようにしておけば、さらなる誤発信の防止へと繋げることが可能となる。
【００７４】
（変形例２）
上記実施形態の第二入力部５、１８を無くして、制御信号を選択するための入力部（第一入力部）と、制御信号の出力を指示するための入力部（第二入力部）と、第一入力部を起動させるための入力部（第三入力部）とを、上記実施形態の第一入力部３、１５で兼用しても良い。この場合、第二入力部５、１８のＬＥＤ１９及び導光部２０も無くす。
【００７５】
この変形例２に係る携帯機の作用を説明すると、センサ制御ＩＣ２１は、センサ部１５には常時電力を供給し、第一入力部３、１５に対するアクションを常時検出可能な状態にしておく。ただし、制御ＩＣ２６又はセンサ制御ＩＣ２１は、第一入力部３、１５に対するユーザーからのアクションがあるまでは、アイコン１２を消灯しておき、この消灯した状態で第一入力部３、１５に対するアクションがあったとしても、制御信号を選択できないようにする。つまり、アイコン１２が消灯した状態では、第一入力部３、１５は制御信号を選択するための入力部としては待機状態となる。
【００７６】
アイコン１２が消灯した状態で第一入力部３、１５に対するユーザーからのアクションがあった場合には、制御ＩＣ２６又はセンサ制御ＩＣ２１は、全てのアイコン１２のＬＥＤ１６を点灯させて、全てのアイコン１２を表示させる。これによって、第一入力部３、１５による制御信号の選択操作が可能な状態（起動状態）に遷移したことを、ユーザーに把握させることができる。
【００７７】
その後、制御ＩＣ２６は、上記実施形態と同様に、第一入力部３、１５に対するユーザーのアクションに基づいて、複数の制御信号のうち、出力する１つの制御信号を選択する。制御ＩＣ２６は、制御信号を選択した後、第一入力部３、１５に対するユーザーからのアクションに基づいて、選択した制御信号をアンテナ部２５に出力して、その制御信号の電波をアンテナ部２５に送信させる。制御信号の出力を指示する第一入力部３、１５に対するアクションはどのようなアクションであっても良いが、例えば、ユーザーが制御信号を選択するために操作部３に指をタッチ操作した後、その指を操作部３から離すアクションを、制御信号の出力を指示する第一入力部３、１５に対するアクションとする。または、操作部３に対するダブルタップ（連続的に２回タッチする操作）を、制御信号の出力を指示する第一入力部３、１５に対するアクションとする。
【００７８】
このように、変形例２では、第二入力部５、１８及びこれに関連する構成を省略できるので、携帯機の構成をより一層簡素にできる。また、制御信号を選択するための入力部（第一入力部）だけでなく、制御信号の出力を指示するための入力部（第二入力部）と、第一入力部を起動させるための入力部（第三入力部）も機械的な断続接点を持たないスイッチで構成することになるので、携帯機に対する機械的な破壊をより一層抑制できる。
【００７９】
（変形例３）
制御信号を選択するための入力部（第一入力部）と、制御信号の出力を指示するための入力部（第二入力部）とを同一の入力部で兼用し、その兼用する入力部とは別に、第一入力部を起動させるための入力部（第三入力部）を設けても良い。この場合、制御信号を選択するための入力部と、制御信号の出力を指示するための入力部とを上記実施形態の第一入力部３、１５で兼用する。一方、第一入力部を起動させるための入力部を、上記実施形態の第二入力部５、１８としても良いし、その第二入力部５、１８を無くして変形例１の第三入力部３５（図１１参照）としても良い。
【００８０】
変形例３の携帯機の作用を説明すると、センサ制御ＩＣ２１は、第二入力部５、１８又は第三入力部３５に対するアクションがあるまでは、第一入力部３、１５を待機状態とし、そのアクションがあった時に第一入力部３、１５を起動状態に遷移させる。その後、制御ＩＣ２６は、上記実施形態と同様に、第一入力部３、１５に対するユーザーのアクションに基づいて、複数の制御信号のうち、出力する１つの制御信号を選択する。その後、制御ＩＣ２６は、変形例２と同様に、第一入力部３、１５に対するアクション（指が操作部３から離れたことや、操作部３へのダブルタップなど）に基づいて、選択した制御信号を出力する。
【００８１】
このように、変形例３では、制御信号を選択するための入力部と、制御信号の出力を指示するための入力部とを同一の第一入力部３、１５で兼用しているので、それら入力部を別々に設けた場合に比べて、携帯機の構成を簡素にできる。
【００８２】
（変形例４）
上記実施形態では、第一入力部３、１５を起動状態に遷移させるための第三入力部を、制御信号の出力を指示するための第二入力部５、１８で兼用した例を説明したが、第一入力部３、１５が第三入力部を兼ねるようにしても良い。この場合、変形例２と同様に、第一入力部３、１５に対するアクションに基づいて第一入力部３、１５で制御信号を選択することができる状態（起動状態）に遷移させる。第一入力部３、１５を用いて制御信号が選択された後、第二入力部５、１８に対するアクションに基づいて、選択された制御信号を出力する。
【００８３】
このように、変形例４では、第一入力部３、１５が、第一入力部３、１５を起動させるための第三入力部を兼ねているので、それら第一入力部、第三入力部を別々に設けた場合に比べて、携帯機の構成を簡素にできる。
【００８４】
（変形例５）
第一入力部３、１５は、機械的な断続接点を持たないスイッチ（静電容量スイッチ）のため、機械的な接点をもつタクトスイッチ等とは違い、第一入力部３、１５単独ではユーザーへのフィードバックが発生しない。そのため、ユーザーは、自分のアクションに対し、正常に反応しているかを判断しにくい。そのため、上記実施形態では、静電容量スイッチが正常に反応した際に、ユーザーが認識できるフィードバックを発生させるフィードバック部として機能するアイコン表示部４、光供給部１６、１７を設けている。これらアイコン表示部４、光供給部１６、１７に加えて又は代えて、他のフィードバック部を設けても良い。
【００８５】
フィードバックの種類としては、光、音、振動等が考えられる。光はＬＥＤ、電子ペーパー、ＥＬ、反射型液晶等、音は圧電ブザー、電子ブザー、電磁ブザー等、振動はモータ、ピエゾ素子、形状記憶合金、人工筋肉等を用いることでフィードバックを発生させることが可能となる。それぞれのフィードバックをより明確にユーザーに伝達するために、光の場合はライトガイド（導光板）を用いたり、音の場合はハウジングを振動させて音を増幅したりしても良い。
【００８６】
図１２は、振動によるフィードバックを発生させる構造を例示した図であり、第一入力部の操作部３周辺の携帯機の断面図を示している。図１２において、上記実施形態と同様の構成には同一符号を付している。振動のフィードバックを用いる場合には、図１２に示すようにアクリルカバー１０の背面に振動を発生させる発振体３６（圧電素子、モータ、形状記憶合金等）が設けられる。図１２では、操作部３の対向位置に発振体３６が設けられた例を示している。また、アクリルカバー１０は、発泡体、スプリング等の弾性体３７によって支持されている。図１２の例では、弾性体３７は、アクリルカバー１０と上カバー６の間に設けられた例を示している。制御ＩＣは、操作部３に対するユーザーからのアクションを検知した場合には、発振体３６を振動させる。
【００８７】
図１２のように、アクリルカバー１０（第一入力部の操作部３）を弾性体３７で支持して、剛体（上カバー６）に対してフロートする（浮いた）構造とすることで、発振体３６によってアクリルカバー１０が振動した際にその振動の減衰を抑えることができる（振動を増幅できる）。これによって、ユーザーに振動によるフィードバックを伝えやすくできる。なお、上記ではアクリルカバー１０の背面に発振体３６を設けているが、ハウジング２やＦＰＣ貼付台２２、ＦＰＣ１４に設けても良い。
【００８８】
また、フィードバックの種類として、音、振動、光の他に、操作部３に接触中のユーザーの指に、ユーザーのアクションを正常に認識した時に、その認識前とは異なる感触を与えるようにしても良い。例えばユーザーの指に微弱電流を流すことで、感触を与える。
【００８９】
複数種類のフィードバックの手段を、少なくとも一つ、可能であれば組み合わせることで、ユーザーに対し、ユーザーのアクションが正常に認識されていることを伝達する。また、第一入力部だけでなく、第二入力部５（図１参照）、第三入力部３５（図１１参照）に対するフィードバック部を設けても良い。
【００９０】
（変形例６）
携帯機に、メカキーの保持の有無を検知するセンサと、そのセンサの検知結果に基づいてメカキーが保持されていること又は保持されていないことをユーザーに通知（フィードバック）する手段とを設けても良い。メカキーの検知に用いられるセンサは、例えば近接センサや、タッチセンサ、赤外線センサ、磁力センサ等が考えられる。
【００９１】
メカキーが携帯機にて保持されている時は、ユーザーに対しメカキーが保持されていることを通知（フィードバック）する。通知の方法としては、例えば、アイコン表示部にメカキーを保持しているマークを表示する。この場合は、図１のアイコン表示部４には、制御信号のアイコン１２の表示領域の他に、メカキーが保持されていることを示すアイコンの表示領域を設ける。なお、アイコン表示部４と別の箇所に、メカキーの保持状態を通知する通知部を設けても良い。
【００９２】
また、メカキーが保持されている時には、例えばユーザーの携帯電話にブルートゥース等の無線通信で、メカキーが保持されていることを通知する信号を飛ばして、携帯電話の画面に、メカキーが保持されていることを示す表示を行っても良い。なお、反対に、メカキーが保持されていない時に、ユーザーに対しメカキーが保持されていないことを通知するようにしても良い。
【００９３】
このように、メカキーの保持状態をユーザーに通知することで、携帯機からメカキーが落下したり、抜き取られたりしたとしても、ユーザーがすぐに気付くことができ、メカキーを紛失する虞が少なくなる。
【００９４】
（変形例７）
メカキーの保持方法については上記実施形態に限定されるものではない。例えば、リリースフック２８（図８参照）の代わりにソレノイドを用いても良い。ここで、図１３、１４は、リリースフック２８の代わりにソレノイドを用いたメカキーの保持機構を説明する図である。詳しくは、図１３は、図８と同じ箇所における図であり、図８の保持機構２８、２９に代えて、プランジャー３８（鉄芯）及びソレノイド３９がメカキー３０の保持機構として配置された図である。また、図１３は、メカキー３０が保持された状態を示している。図１４は、図１３と同じ箇所の図であって、メカキー３０の保持が解除された状態を示している。なお、図１３、図１４において上記実施形態と同様の構成には同一の符号を付している。
【００９５】
図１３に示すように、メカキー３０の把持部が配置される下カバー７の内面側の下部には、プランジャー３８及びソレノイド３９が配置される。ソレノイド３９は筒状中空部を有し、その筒状中空部が図１３の方向から見て左右方向、つまり下カバー７の短手方向に向くように、ソレノイド３９は下カバー７の内面下部に配置される。プランジャー３８はソレノイド３９（筒状中空部）に挿入される形で左右方向に摺動可能に配置される。このとき、プランジャー３８の一方の先端側の一部が、ソレノイド３９から突出して、メカキー３０の突起片３０ｃと嵌合することで、メカキー３０の引き抜きができないようになっている。なお、プランジャー３８及びソレノイド３９は、ソレノイド３９に電流が流れていない間は、プランジャー３８が移動しないように固定されている。その固定方法については、例えばバネや永久磁石を使用することができ、詳しくは、ソレノイド３９に電力が供給されていない間は、スプリングの付勢力により、プランジャー３８がソレノイド３９から突出した位置（図１３の位置）に保持される。
【００９６】
また、携帯機には、メカキー３０の保持の解除を指示する解除スイッチが設けられる。この解除スイッチは、機械的接点を持つスイッチを用いても良いし、機械的接点を持たないスイッチでも良い。解除スイッチとして機械的接点を持たないスイッチを用いる場合には、上記実施形態の第一入力部３、１５を解除スイッチに兼用しても良い。この場合、アイコン表示部４に、メカキー３０の解除を示したアイコン（以下、解除アイコンという）の表示領域を設ける。また、操作部３に、解除アイコンを選択する操作範囲も設ける。さらに、携帯機には、メカキー３０の引き抜きを検知するセンサが設けられている。
【００９７】
センサ制御ＩＣ２１又は制御ＩＣ２６は、起動状態に遷移した第一入力部３、１５のうち、解除アイコンの操作範囲に対してアクションが行われた場合には、解除アイコンを表示するとともに、メカキー３０の解除を指示する制御信号を選択する。その後、センサ制御ＩＣ２１又は制御ＩＣ２６は、第二入力部５、１８に対するアクションがあった時に、その制御信号を出力してソレノイド３９に電流を流すことで、図１４に示すようにプランジャー３８を右方向に移動させる。すなわち、ソレノイド３９に電流を流すことによりスプリングの保持力を上回る電磁力を発生させ、その電磁力によりプランジャー３８の突出部をソレノイド３９内に引き込む。これによって、プランジャー３８と、メカキー３０の突起片３０ｃとの嵌合が解除されて、メカキー３０を下方に引き抜くことが可能となる。なお、センサ制御ＩＣ２１又は制御ＩＣ２６は、プランジャー３８を、突起片３０ｃとの嵌合が解除される所定の解除位置まで移動させた後、メカキー３０が引き抜かれたことを検知したのち、ソレノイド３９への電流供給を停止させる。なお、電流供給については、メカキーの解錠が選択されてから一定時間経過後に停止しても良い。電流供給が停止すると、スプリングの力により、プランジャー３８が、ソレノイド３９から突出した位置（図１３の位置）まで移動する。
【００９８】
また、引き抜かれたメカキー３０が携帯機内に挿入された時には、先ずメカキー３０の突起片３０ｃとプランジャー３８とが接触した後、ユーザーの力でプランジャー３８がスプリングの力とは逆方向に付勢され、凹位置（ソレノイド３９内に引っ込んだ位置）まで移動する。なお、ユーザーの力でプランジャー３８を凹位置まで移動させるため、より摺動し易くするために、メカキー３０とプランジャー３８との接触面は例えば斜め４５度で構成されている。突起片３０ｃがプランジャー３８を乗り越えた後は、再びスプリングの力でプランジャー３８が凸位置（ソレノイド３９から突出した位置）に戻る。これによって、メカキー３０が抜け落ちないように保持することができる。なお、プランジャー３８の移動にはユーザーの力を使用したが、メカキー３０が挿入されたことをセンサで検知した後にソレノイド３９に電流を供給し、プランジャー３８を移動させても良い。または、解除スイッチと同様に、ソレノイド３９をオンするスイッチ（ユーザーによって操作が行われる操作部）を設けて、そのスイッチが操作されたことに基づいてプランジャー３８を移動させても良い。ソレノイド３９をオンするスイッチは、上記解除スイッチと兼用としても良いし、第一入力部３、１５と兼用にしても良い。
【００９９】
このように、メカキー３０の保持機構をプランジャー３８及びソレノイド３９で構成することで、リリースフック及びスプリングを用いた場合のようにリリースフックを操作する必要がないため、メカキー３０の保持を解除する際のユーザーの操作負担を軽減できる。また、解除スイッチの操作時のみソレノイドに電流を流すようにすることで、消費電力を抑えることができる。
【０１００】
（変形例８）
変形例６では、リリースフック及びスプリングの代わりにソレノイド及びプランジャーを用いたメカキーの保持機構を示したが、磁力によってメカキーを保持しても良い。ここで、図１５、図１６は、磁力を用いたメカキーの保持機構を説明する図である。詳しくは、図１５は、図８と同じ箇所における図であり、図８の保持機構２８、２９に代えて、電磁コイル４１が巻かれた磁石４０がメカキー３０の保持機構として配置された図である。図１５は、メカキー３０が保持された状態を示している。図１６は、図１５と同じ箇所の図であって、メカキー３０の保持が解除された状態を示している。なお、図１５、図１６において上記実施形態と同様の構成には同一の符号を付している。
【０１０１】
図１５に示すように、メカキー３０の把持部が配置される下カバー７の内面側の下部には、電磁コイル４１が巻かれた磁石４０が配置される。磁石４０は、メカキー３０の一部と接触するように配置されて、メカキー３０との接触部においてメカキー３０を引きつける磁力を発生させる。メカキー３０は、少なくとも磁石４０との接触部において、磁石４０に引きつけられる磁性材料（鉄など）で構成される。また、携帯機には、メカキー３０の保持の解除を指示する解除スイッチが設けられる。この解除スイッチは、変形例６と同様に、機械的接点を持つスイッチを用いても良いし、機械的接点を持たないスイッチでも良い。機械的接点を持たないスイッチを用いる場合には、第一入力部を解除スイッチに兼用しても良い。
【０１０２】
制御ＩＣは、メカキー３０の保持時は、電磁コイル４１に電流を流さないようにすることで、磁石４０による磁力でメカキー３０を保持する（図１５参照）。制御ＩＣは、解除スイッチが操作された場合には、電磁コイル４１に電流を流し、磁石４０とは反対の磁場を発生させて、磁石４０の磁力を打ち消す。これによって、メカキー３０の保持が解除されて、メカキー３０を下方に引き抜くことが可能となる（図１６参照）。また、引き抜かれたメカキー３０が携帯機内に挿入された時には、磁石４０によってメカキー３０が保持される。
【０１０３】
また、磁石４０に代えて、電磁コイル４１に電流が流れた時のみ磁場を発生する磁性体の芯を配置しても良い。つまり、電磁石によってメカキー３０の保持及びその解除を行っても良い。この場合、制御ＩＣは、メカキー３０を保持する時には常時電磁コイル４１に電流を流し、磁場を発生させることでメカキー３０を保持する。制御ＩＣは、解除スイッチが操作された時には、電磁コイル４１の電流を停止して電磁石の動作を停止することで、メカキー３０の保持を解除する。
【０１０４】
また、電磁石を用いる場合には、制御ＩＣは、引き抜かれたメカキー３０が携帯機内に挿入された時に、電磁コイルに電流を流して電磁石を動作させることで、その電磁石の磁力によりメカキー３０を保持する。メカキー３０が携帯機内に挿入されたことは、例えば、メカキー３０の有無を検知するセンサを携帯機に設けて、そのセンサにより判定しても良いし、解除スイッチと同様に、電磁石をオンするスイッチ（ユーザーによって操作が行われる操作部）を設けて、そのスイッチが操作されたことに基づいて判定しても良い。電磁石のオンオフスイッチ（解除スイッチ（オフスイッチ）、オンスイッチ）は、同一のスイッチで構成しても良いし、別々に設けたとしても良い。
【０１０５】
また、第一入力部を、電磁石のオンオフスイッチに兼用しても良い。この場合には、アイコン表示部に、電磁石のオンオフを示したアイコン（以下オンオフアイコンという）の表示領域を設ける。また、操作部３に、オンオフアイコンを選択する操作範囲も設ける。制御ＩＣは、起動状態に遷移した第一入力部のオンオフアイコンの操作範囲に対してアクションがあった場合には、オンオフアイコンの制御信号を選択する。その後、制御ＩＣは、第二入力部に対するアクションがあったことに基づいてその制御信号を出力し、電磁石のオン又はオフを行う。
【０１０６】
（変形例９）
上記実施形態では、制御ＩＣ又はセンサ制御ＩＣは、第一入力部に対するアクションに基づいて出力する制御信号を選択していたが、本変形例では、携帯機が車両の内外のどちらに存在するかを判別する。また、車両のドアが施錠されているか解錠されているかを判別する。そして、制御ＩＣ、センサ制御ＩＣは、携帯機が車両の内外のどちらに存在するかの判別結果と、車両のドアが施錠されているか解錠されているかの判別結果とに基づいて、第一入力部へのアクション前の初期状態として、制御信号の選択及びアイコンの表示を行うようにしても良い。
【０１０７】
詳しくは、携帯機がスマートエントリーシステムに対応したものである場合には、制御ＩＣは、第三入力部（図１では第二入力部５）に対するアクションがあった時、つまり第一入力部が起動状態に遷移した時に、車載装置との通信履歴に基づいて、携帯機が車両の内外のどちらに存在するかを判別する。具体的には、携帯機が車両外に存在する場面では、携帯機は、第一入力部の起動時から所定時間前の間で、（１）車両との通信が行われていない場合（携帯機が車両から離れた位置にいる場合）、又は（２）車外アンテナとの間の通信が継続中の場合（携帯機が車両ドア周辺まで近づいた場合）のいずれかとなる。よって、制御ＩＣは、上記（１）、（２）のいずれかの通信履歴を有する場合には、携帯機が車両外に存在すると判断する。
【０１０８】
一方、携帯機が車両内に存在する場面では、携帯機は車両外→車外の車両ドア周辺→車両内に移動するので、携帯機と車載装置との通信履歴は、通信停止→車外アンテナと携帯機との通信→車内アンテナと携帯機との通信となる。よって、制御ＩＣは、第一入力部の起動時から所定時間前の間で、（３）車外アンテナとの通信から車内アンテナとの通信に切り替わった通信履歴を有する場合、又は（４）車内アンテナとの通信が継続中の場合には、携帯機が車両内に存在すると判断する。
【０１０９】
また、携帯機の位置の判別に関し、以下の判別方法を採用しても良い。すなわち、例えば、車両に、車両内を撮影するカメラや、座席（シート）の着座を検知する着座センサを設ける。車載装置は、カメラの撮影画像や着座センサの検知情報に基づいて、乗員が車両内に存在するか否かを判断する。また、車載装置は、タイヤマウントセンサによって車重量の変化を読み取ることで、車両内に乗員が存在するか否かを判断しても良い。そして、車載装置は、その判断結果を、携帯機が車両の内外のどちらに存在するかの情報として、携帯機に送信するようにしても良い。すなわち、車載装置は、車両内に乗員が存在しないと判断した場合には、携帯機が車両内に存在しない、つまり車両外に存在することを示す情報を携帯機に送信する。車載装置は、車両内に乗員が存在すると判断した場合には、携帯機が車両内に存在することを示す情報を携帯機に送信する。これらの方法を用いれば、携帯機が車両の外か中かという情報だけではなく、中から外に出た（降車）直後や、外から中に入った（乗車）直後を判別することも可能となるため、ユーザーの状態をいち早く捉え、その状態のユーザーに適した操作をユーザーに提案することが可能となる。
【０１１０】
また、制御ＩＣは、車載装置との通信により、車載装置から、車両ドアの施錠状態を示した情報を取得することで、車両ドアが施錠されているのか解錠されているのかを判別する。
【０１１１】
そして、制御ＩＣ又はセンサ制御ＩＣは、携帯機が車両外に存在し、かつ、車両ドアが施錠されていると判別した場合には、第一入力部が待機状態から起動状態に遷移した時に、第一入力部へのアクション前の初期状態として、車両ドアのアンロック（解錠）を指示する制御信号のアイコン１２ｂ（図１参照）のみを点灯させ、そのアンロックの制御信号を、出力する制御信号として選択する。このようにするのは、ユーザー（携帯機）が車両外に存在し、ドアがロックされている場面では、アンロック操作が一番多用されると想定されるためである。
【０１１２】
また、制御ＩＣ又はセンサ制御ＩＣは、携帯機が車両外に存在し、かつ、車両ドアが解錠されていると判別した場合には、第一入力部が待機状態から起動状態に遷移した時に、第一入力部へのアクション前の初期状態として、車両ドアのロックを指示する制御信号のアイコン１２ａ（図１参照）のみを点灯させ、そのロックの制御信号を、出力する制御信号として選択する。このようにするのは、ユーザー（携帯機）が車両外に存在し、ドアがアンロックロックされている場面では、ロック操作が一番多用されると想定されるためである。なお、制御ＩＣ又はセンサ制御ＩＣが本発明の表示制御部、施錠状態判別部、携帯機判別部に相当する。
【０１１３】
なお、アンロックの制御信号（アイコン１２ｂ）又はロックの制御信号（アイコン１２ａ）が選択された状態で、ユーザーによって第一入力部のアンロック、ロックの操作範囲とは別の操作範囲が操作された場合には、制御ＩＣ、センサ制御ＩＣは、その別の操作範囲に対応したアイコンを点灯させるとともに、その別の操作範囲に対応した制御信号を選択する。
【０１１４】
さらに、制御ＩＣ又はセンサ制御ＩＣは、携帯機が車両内に存在すると判別した場合には、第三入力部に対するアクションがあったとしても第一入力部を待機状態とし、又は、制御信号の選択後に第二入力部に対するアクションがあったとしても制御信号の出力しない、携帯機の操作を制限する制限モードに移行させる。この場合、携帯機の操作を制限する制御ＩＣ又はセンサ制御ＩＣが本発明の携帯機操作制限部に相当する。
【０１１５】
なお、携帯機が車両内に存在すると判別した場合に、車両側で、携帯機による車両操作が行われることを制限するようにしても良い。すなわち、携帯機は、携帯機が車両内に存在すると判別した場合であっても、制御信号の選択や出力を許可する。車載装置は、携帯機が車両内に存在すると判別した場合には、携帯機から送信される制御信号の電波を無視し、又は、その電波を受信したとしても、制御信号で示される車両制御を実施しないようにする。
【０１１６】
なお、携帯機がスマートエントリーシステムに対応していない場合、制御ＩＣは、車両ドアが施錠されているのか解錠されているのかを判別する。この判別は、例えば、前回の場面（乗車場面）でアンロックの制御信号を出力した場合には、今回の場面は降車場面であると想定され、ドアは解錠されている可能性が高い。反対に、前記の場面（降車場面）でロックの制御信号を出力した場合には、今回の場面は乗車場面であると想定され、ドアは施錠されている可能性が高い。そこで、制御ＩＣは、第一入力部の起動時に、例えば、前回にアンロックの制御信号を出力したか、ロックの制御信号を出力したかに基づいて、車両ドアが施錠されているのか解錠されているのかを判別する。なお、車載装置から携帯機に、車両ドアの施錠状態を示す情報を送受信する機能を、車載装置及び携帯機に備えるようにして、携帯機の制御ＩＣは、車載装置から、車両ドアの施錠状態を示す情報を取得することで、車両ドアが施錠されているのか解錠されているのかを判別しても良い。
【０１１７】
そして、制御ＩＣ又はセンサ制御ＩＣは、車両ドアが施錠されていると判別した場合には、第一入力部が待機状態から起動状態に遷移した時に、第一入力部へのアクション前の初期状態として、車両ドアのアンロック（解錠）を指示する制御信号のアイコン１２ｂ（図１参照）のみを点灯させ、そのアンロックの制御信号を、出力する制御信号として選択する。これに対し、制御ＩＣ又はセンサ制御ＩＣは、車両ドアが解錠されていると判別した場合には、第一入力部が待機状態から起動状態に遷移した時に、第一入力部へのアクション前の初期状態として、車両ドアのロックを指示する制御信号のアイコン１２ａ（図１参照）のみを点灯させ、そのロックの制御信号を、出力する制御信号として選択する。
【０１１８】
このように、変形例９では、第一入力部の起動時の初期状態として、アンロック又はロックの制御信号が選択された状態となるので、ユーザーはアンロック又はロックの制御信号（アイコン）を選択する必要が無く、第二入力部にアクションするだけで操作を終了することが可能となる。また、車両内から携帯機を用いて車両操作を行うことは想定しにくいことから、携帯機が車両内に存在する場合には、携帯機の操作が制限されることで、携帯機の誤操作を抑制できる。
【０１１９】
なお、携帯機には、ロックやアンロックの他に、トランク、パワースライドドア、パニック、リモートエンジンスタート等、複数の種類の制御信号が存在する。ロックやアンロック以外の制御信号が最初に選択されるようにするには、携帯機もしくは車両の中にメモリー部を設け、ユーザーが好きな制御信号を登録することで対応可能となる。制御信号の登録の方法としては、例えば、携帯機の第三入力部にアクションし、第一入力部を起動状態にした状態でユーザーが登録したい制御信号を選択する。その後、第二入力部に対しユーザーが長押しや二回押し、三回押し等のアクション（制御信号の出力を指示するアクションとは異なるアクション）をすることで制御信号を登録するようにする。携帯機は、登録されたコマンドを、携帯機の第一入力部が起動状態に遷移した際に呼び出し、選択された状態でユーザーに表示する。この他にも、第三入力部へのアクションの仕方（二回押し、長押し等）によって、呼び出される制御信号を変更しても良い。この結果、ユーザーの操作性を向上させることが可能となる。
【０１２０】
（変形例１０）
上記実施形態では、アイコン表示部をアクリルカバーと一体的に形成（２色成形、印刷、塗装等）していたが、アイコン表示部（アイコン）を薄いシートに印刷したグラフィックシートで構成しても良い。詳しくは、透明フィルムを基材とした薄いシートに、複数種類のアイコンが光を透過するように、それ以外の部分は遮光するように印刷する。そのグラフィックシートを、第一入力部の操作部が形成されたアクリルカバーの表面又は背面に両面テープ等で固定する。上記実施形態と同様に、アクリルカバー（グラフィックシート）の背面側の各アイコンの対向位置には、各アイコンに光を供給する光供給部（ＬＥＤ、導光部）が設けられる。これによって、光供給部からの光により各アイコンを点灯（表示）させることができる。
【０１２１】
このように、グラフィックシートを用いることで、グラフィックシートを交換するだけで、様々な種類、個数、配置のアイコン表示部が可能となる。例えば、図１のアイコン表示部４をグラフィックシートで構成した場合において、車両側がパワースライドドアを有しない場合、パワースライドドアの開錠のアイコン１２ｄ、１２ｅが省略されたアイコン１２ａ〜１２ｃのみを有したグラフィックシート又はアイコン１２ｄ、１２ｅに代えて他の種類のアイコン（例えば電池の残量表示やメカキーの保持状態等の携帯機の状態を示すアイコン）を有したグラフィックシートに交換することで、簡単に異なる車種の携帯機に展開が可能となる。
【０１２２】
また、右利き用と左利き用のグラフィックシートを用意することで、ユーザーの利き腕に併せてグラフィックシートを入れ替えることもできる。ここで、図１７は、右利き用のグラフィックシートにより構成された携帯機の正面図を例示している。また、図１８、左利き用のグラフィックシートにより構成された携帯機の正面図を例示している。
【０１２３】
図１７、図１８の携帯機の正面外形は、短手方向及び長手方向を有する形状（長方形状）に形成される。図１７、図１８の例では、図１７、図１８の左右方向が携帯機の短手方向（左右幅方向）となり、上下方向が携帯機の長手方向（上下幅方向）となる。携帯機の正面には、第一入力部の操作部４６と、第三入力部と兼用した第二入力部の操作部４８が設けられる。操作部４６は、上記実施形態の操作部３と同様に静電容量スイッチにより構成される。操作部４８は、機械的な断続接点を持つスイッチで構成しても良いし、機械的な断続接点を持たないスイッチで構成しても良い。
【０１２４】
第一入力部の操作部４６は、アクリルカバー上の、アクリルカバーの左右幅方向（短手方向）の中央位置において、アクリルカバーの上下方向（長手方向）に伸びるように形成されている。
【０１２５】
図１７では、アクリルカバー上に、右利き用のグラフィックシート４７が配置される。そのグラフィックシート４７は、図１７の方向から見て、操作部４６よりも左側に寄った位置に、図１のアイコン１２と同様の複数種類のアイコン４７ａが形成されている。
【０１２６】
これに対し、図１８では、アクリルカバー上に、左利き用のグラフィックシート４９が配置される。そのグラフィックシート４９は、図１８の方向から見て、操作部４６よりも右側に寄った位置に、図１のアイコン１２と同様の複数種類のアイコン４９ａが形成されている。
【０１２７】
また、グラフィックシート４７、４９は、操作部４６の部分は操作部４６の形状に切り抜かれており、アイコン４７ａ、アイコン４９ａの部分は光を透過し、それ以外の部分は遮光するように印刷されている。
【０１２８】
なお、アクリルカバーの背面側に配置されるＦＰＣ上の、図１７の各アイコン４７ａの対向位置には各アイコン４７ａに光を供給する第１光供給部が実装されている。また、ＦＰＣ上の、図１８の各アイコン４９ａの対向位置には各アイコン４９ａに光を供給する第２光供給部も実装されている。
【０１２９】
右利きのユーザーは右手で携帯機を把持して、右手の親指で携帯機を操作することが多い。そこで、右利きのユーザーに対しては図１７の右利き用のグラフィックシート４７に交換する。そして、ユーザーが、ユーザーから見て携帯機の正面が図１７の向きになるように右手で把持（携帯機の背面が右手の手のひらに載り、親指が携帯機正面の右側に載るように把持）し、右手の親指で操作部４６、４８を操作した時に、アイコン４７ａの表示部がその親指で隠れてしまうのを防ぐことができる。
【０１３０】
左利きのユーザーは左手で携帯機を把持して、左手の親指で携帯機を操作することが多い。そこで、左利きのユーザーに対しては図１８の左利き用のグラフィックシート４９に交換する。そして、ユーザーが、ユーザーから見て携帯機の正面が図１７の向きになるように左手で把持（携帯機の背面が左手の手のひらに載り、親指が携帯機正面の左側に載るように把持）し、左手の親指で操作部４６、４８を操作した時に、アイコン４９ａの表示部がその親指で隠れてしまうのを防ぐことができる。
【０１３１】
右利き用のグラフィックシート４７に交換した時には、例えば制御ＩＣ内のプログラムを右利き用のプログラムに書き換えられることで、制御ＩＣは、上記第１光供給部及び第２光供給部のうち、右利き用のアイコン４７ａの対向位置に実装された第１光供給部を動作させ、第２光供給部は動作させない。これによって、アイコン４７ａを表示できるとともに、表示に使われない光の供給を防ぐことができる。
【０１３２】
これに対して、左利き用のグラフィックシート４９に交換した時には、例えば制御ＩＣ内のプログラムを左利き用のプログラムに書き換えられることで、制御ＩＣは、上記第１光供給部及び第２光供給部のうち、左利き用のアイコン４９ａの対向位置に実装された第２光供給部を動作させ、第１光供給部は動作させない。これによって、アイコン４９ａを表示できるとともに、表示に使われない光の供給を防ぐことができる。
【０１３３】
また、図１９、図２０は、右利き用又は左利き用のグラフィックシートにより構成された携帯機の別の変形例を説明する図である。詳しくは、図１９は、右利き用のグラフィックシートにより構成された携帯機の正面図を例示している。図２０は、左利き用のグラフィックシートにより構成された携帯機の正面図を例示している。
【０１３４】
図１９、図２０の携帯機の正面外形は、短手方向及び長手方向を有する形状（長方形状）に形成される。図１９、図２０の例では、図１９、図２０の左右方向が携帯機の短手方向（左右幅方向）となり、上下方向が携帯機の長手方向（上下幅方向）となる。図１９の携帯機の正面には、右利き用のグラフィックシート７０が配置される。そのグラフィックシート７０の短手方向の中央には、図１のアイコン１２と同様の複数種類のアイコン７１（アイコン表示部）が長手方向に並ぶように形成されている。また、グラフィックシート７０のアイコン表示部７１よりも右側に寄った位置には、加飾印刷により、第一入力部の操作部７２が形成されている。グラフィックシート７０は、アイコン７１の部分は光を透過し、それ以外の部分は遮光するように印刷されている。なお、操作部７２の部分も光を透過するように構成しても良い。
【０１３５】
図２０の左利き用のグラフィックシート７４には、図１９のアイコン表示部７１と同じ位置に、アイコン表示部７１のアイコンと同様の種類のアイコン７５（アイコン表示部）が形成されている。また、グラフィックシート７４のアイコン表示部７５よりも左側に寄った位置には、加飾印刷により、第一入力部の操作部７６が形成されている。グラフィックシート７４は、アイコン７５の部分は光を透過し、それ以外の部分は遮光するように印刷されている。なお、操作部７６の部分も光を透過するように構成しても良い。
【０１３６】
また、携帯機の正面には、第三入力部と兼用した第二入力部の操作部７３が設けられる。その操作部７３は、短手方向の中央下部（アイコン表示部７１、７５の下側）に配置されている。操作部７３は、機械的な断続接点を持つスイッチで構成しても良いし、機械的な断続接点を持たないスイッチで構成しても良い。
【０１３７】
図１９、図２０の各操作部７２、７６は、上記実施形態の操作部３と同様に静電容量スイッチの操作部として用いられる。そのために、携帯機内の操作部７２、７６の対向位置には、各操作部７２、７６に対するアクションを検知する静電容量スイッチの電極部が配置されている。以下、図１９の操作部７２の対向位置に配置された電極部を第１電極部といい、図２０の操作部７６の対向位置に配置された電極部を第２電極部という。それら第１電極部、第２電極部は、アクリルカバーの背面側に配置されるＦＰＣ上に実装される。
【０１３８】
さらに、ＦＰＣ上の、図１９、図２０のアイコン７１、７５の対向位置には、各アイコン７１、７５に光を供給する光供給部が実装されている。また、操作部７２、７６を光透過部として構成した場合には、携帯機内の各操作部７２、７６の対向位置には、各操作部７２、７６に光を供給する光供給部が配置される。
【０１３９】
右利きのユーザーは右手で携帯機を把持して、右手の親指で携帯機を操作することが多い。そこで、右利きのユーザーに対しては図１９の右利き用のグラフィックシート７０に交換する。そして、ユーザーが、ユーザーから見て携帯機の正面が図１９の向きになるように右手で把持（携帯機の背面が右手の手のひらに載り、親指が携帯機正面の右側に載るように把持）し、右手の親指で操作部７２、７３を操作した時に、アイコン７１がその親指で隠れてしまうのを防ぐことができる。
【０１４０】
左利きのユーザーは左手で携帯機を把持して、左手の親指で携帯機を操作することが多い。そこで、左利きのユーザーに対しては図２０の左利き用のグラフィックシート７４に交換する。そして、ユーザーが、ユーザーから見て携帯機の正面が図２０の向きになるように左手で把持（携帯機の背面が左手の手のひらに載り、親指が携帯機正面の左側に載るように把持）し、左手の親指で操作部７６、７３を操作した時に、アイコン７５がその親指で隠れてしまうのを防ぐことができる。
【０１４１】
右利き用のグラフィックシート７０に交換した時には、例えばセンサ制御ＩＣ及び制御ＩＣ内のプログラムを右利き用のプログラムに書き換えられることで、センサ制御ＩＣは、上記第１電極部、第２電極部のうち、右利き用の操作部７２の対向位置に実装された第１電極部を動作させ、第２電極部は動作させない。また、操作部７２、７６を光透過部として構成した場合において、右利き用のグラフィックシート７０に交換した時には、センサ制御ＩＣ又は制御ＩＣは、右利き用の操作部７２の対向位置に配置された光供給部は動作させ、左利き用の操作部７６の対向位置に配置された光供給部は動作させない。
【０１４２】
すなわち、右利き用のグラフィックシート７０に交換した時には、センサ制御ＩＣは、操作部７３に対するユーザーからのアクションに基づいて、操作部７２及び第１電極部を起動状態に遷移させる。センサ制御ＩＣは、第２電極部については常時待機状態にする。つまり、グラフィックシート７０のアイコン表示部７１より左側の部分は、操作部として機能させない。操作部７２及び第１電極部を起動状態に遷移させた後の動作は上記実施形態と同じである。
【０１４３】
これに対して、左利き用のグラフィックシート７６に交換した時には、例えばセンサ制御ＩＣ及び制御ＩＣ内のプログラムを左利き用のプログラムに書き換えられることで、センサ制御ＩＣは、上記第１電極部、第２電極部のうち、左利き用の操作部７６の対向位置に実装された第２電極部を動作させ、第１電極部は動作させない。また、操作部７２、７６を光透過部として構成した場合において、左利き用のグラフィックシート７４に交換した時には、センサ制御ＩＣ又は制御ＩＣは、左利き用の操作部７６の対向位置に配置された光供給部は動作させ、右利き用の操作部７２の対向位置に配置された光供給部は動作させない。
【０１４４】
すなわち、左利き用のグラフィックシート７４に交換した時には、センサ制御ＩＣは、操作部７３に対するユーザーからのアクションに基づいて、操作部７６及び第２電極部を起動状態に遷移させる。センサ制御ＩＣは、第１電極部については常時待機状態にする。つまり、グラフィックシート７４のアイコン表示部７５より右側の部分は、操作部として機能させない。操作部７６及び第２電極部を起動状態に遷移させた後の動作は上記実施形態と同じである。
【０１４５】
（変形例１１）
上記実施形態では、図１の入力部３、５及びアイコン表示部４の配置は右利きのユーザーにとって操作しやすい配置となっていたが、右利きのユーザー、左利きのユーザーのいずれのユーザーに対しても操作しやすくするために、同一種類の制御信号（アイコン）を選択できる第一入力部の操作範囲を、携帯機の外面の少なくとも２箇所に配置しても良い。ここで、図２１は、同一種類の制御信号（アイコン）を選択できる第一入力部の操作範囲が少なくとも２箇所に設けられた例を説明する図であり、変形例１０に係る携帯機６０の正面図を示している。
【０１４６】
携帯機６０は、図２１の正面方向からみて略長方形の外形のハウジング５０を有する。そのハウジング５０の正面には、ハウジング５０の正面外形より若干小さい略長方形状の開口が形成されている。その開口に、携帯機６０の操作及び表示の機能を有するアクリルカバー５４が配置されている。アクリルカバー５４の表面には、図１のアイコン表示部４と同様の複数種類のアイコン５２ａ〜５２ｅを有したアイコン表示部５２が形成されている。そのアイコン表示部５２は、携帯機６０の正面外形の短手方向（左右幅方向）の中央位置において各アイコンが長手方向に一列に並ぶ形で構成されている。アクリルカバー５４の表面は、アイコン表示部５２の部分は光を透過し、アイコン表示部５２の周囲は光を透過しないように、形成（２色成形、印刷、塗装等）されている。
【０１４７】
また、アクリルカバー５４の表面の２箇所に、アイコン５２ａ〜５２ｅ（制御信号）を選択するための第一入力部の操作部５４、５５（操作面）が設定されている。これら操作部５４、５５は、アイコン表示部５２を間に挟んで、アクリルカバー５４の表面の左右両側に配置される。すなわち、一方の操作部５４は、アクリルカバー５４の表面の、アイコン表示部５２よりも左側の位置（左右幅方向の左側位置）において、長手方向に伸びるように配置される。他方の操作部５５は、アクリルカバー５４の表面の、アイコン表示部５２よりも右側の位置（左右幅方向の右側位置）において、長手方向に伸びるように配置される。
【０１４８】
各操作部５４、５５は、機械的な断続接点を有しないスイッチにより構成され、具体的には静電容量スイッチにて構成されている。すなわち、各操作部５４、５５の背面側の各操作部５４、５５の対向位置には、操作部５４、５５ごとに、上記実施形態のセンサ部１５と同様の静電容量スイッチのセンサ部（電極）が配置されている。
【０１４９】
また、各操作部５４、５５は、上記実施形態と同様に、アイコン５２ａ〜５２ｅごとの操作範囲に分けられている。詳しくは、左側の操作部５４のうち、第１のアイコン５２ａの左に隣接した操作範囲は第１のアイコン５２ａを選択するための操作範囲に設定されている。同様に、左側の操作部５４のうち第２〜第５のアイコン５２ｂ〜５２ｅの左に隣接した各操作範囲は第２〜第５のアイコン５２ｂ〜５２ｅを選択するための操作範囲に設定されている。また、右側の操作部５５のうち、第１のアイコン５２ａの右に隣接した操作範囲は第１のアイコン５２ａを選択するための操作範囲に設定されている。同様に、右側の操作部５５のうち第２〜第５のアイコン５２ｂ〜５２ｅの右に隣接した各操作範囲は第２〜第５のアイコン５２ｂ〜５２ｅを選択するための操作範囲に設定されている。このように、各操作部５４、５５は、操作部５４、５５間で同一種類の制御信号（アイコン５２ａ〜５２ｅ）を選択する操作範囲を有する。言い換えると、アイコン表示部５２を基準として左右対称となるように、同一種類の制御信号を選択する操作範囲が配置されている。
【０１５０】
また、操作部５４、５５は点灯可能に構成、つまり光を透過するように構成される。ただし、操作部５４、５５の背面側が視認されないように、操作部５４、５５は例えばスモーク調など半透明に構成される。
【０１５１】
携帯機６０の正面の短手方向の中央下部、つまりアイコン表示部５２の下には第二入力部の操作部５３が配置されている。その操作部５３は、制御ＩＣに、選択した制御信号の出力を指示する第二入力部の操作部である。また、操作部５３は、第一入力部５４、５５を待機状態から起動状態に遷移させる第三入力部の操作部にも用いられる。操作部５３は、機械的な断続接点を持つスイッチ（タクトスイッチ等）で構成されたとしても良いし、機械的な断続接点を持たないスイッチ（静電容量スイッチ等）で構成されたとしても良い。
【０１５２】
ハウジング５０内には、上記実施形態の携帯機１の構成（図４〜図６参照）同様の構成が配置される。携帯機１と異なる点として、第一入力部の操作部５４、５５の背面側の操作部５４、５５の対向位置には、操作部５４、５５ごとに、各操作部５４、５５に光を供給する光供給部（ＬＥＤ、導光部）が配置されている。
【０１５３】
次に、携帯機６０の作用を図２２を参照して説明する。センサ制御ＩＣは、操作部５３に対するユーザーのアクションがあるまでは、操作部５４、５５の電極部への電力供給を停止して、操作部５４、５５（第一入力部）を待機状態にする。また、制御ＩＣ又はセンサ制御ＩＣは、操作部５４、５５が待機状態の時には、アイコン表示部５２及び操作部５４、５５を消灯する（図２２（ａ）の状態）。
【０１５４】
センサ制御ＩＣは、操作部５３に対するユーザーのアクションがあった場合には、両方の操作部５４、５５を起動状態にする。加えて、制御ＩＣ又はセンサ制御ＩＣは、操作部５４、５５の対向位置に配置された光供給部を動作させて、両方の操作部５４、５５を表示（点灯）する（図２２（ｂ）の状態）。これによって、ユーザーに、操作部５４、５５が起動状態になったことを容易に把握させることができるとともに、操作部５４、５５の位置も把握させることができる。なお、制御ＩＣ又はセンサ制御ＩＣは、操作部５４、５５を起動状態にした後、ユーザーが操作部５４、５５に触れてから、触れた方の操作部のみを表示するようにしても良い。
【０１５５】
その後、センサ制御ＩＣは、操作部５４、５５のうちユーザーが触れた方の操作部のみを有効（起動状態）にする。また、制御ＩＣ又はセンサ制御ＩＣは、操作部５４、５５のうちユーザーが触れた方の操作部のみを表示する。例えば、図２２（ｃ）に示すように、右側の操作部５５に対するアクションがあった場合には、右側の操作部５５を有効（起動状態）にし、かつ表示する一方で、左側の操作部５４は無効（待機状態）にし、かつ非表示にする。これによって、消費電力を抑えることができるとともに、ユーザーの指が誤って操作部５４に触れてしまったとしても、ユーザーの意図しない制御信号の選択や出力が行われてしまうのを防ぐことができる。
【０１５６】
ユーザーは、図２２（ｂ）の状態から右側の操作部５５に触れた場合には、操作部５５が有効になって、操作部５５により、出力する制御信号（アイコン）を選択できる（図２２（ｃ）の状態）。つまり、制御ＩＣは、操作部５５の操作位置に基づいて、複数種類の制御信号のうちいずれか１つを選択する。また、制御ＩＣ又はセンサ制御ＩＣは、アイコン表示部５２のうち選択されたアイコンのみを点灯させる。その後、制御ＩＣは、第二入力部の操作部５３が操作されたことに基づいて、選択した制御信号を出力して、アンテナ部にその制御信号の電波を送信させる（図２２（ｄ）の状態）。
【０１５７】
また、例えば、図２２（ｅ）に示すように、左側の操作部５４に対するアクションがあった場合には、左側の操作部５４を有効（起動状態）にし、かつ表示する一方で、右側の操作部５５は無効（待機状態）にし、かつ非表示にする。ユーザーは、図２２（ｂ）の状態から左側の操作部５４に触れた場合には、操作部５４が有効になって、操作部５４により、出力する制御信号（アイコン）を選択できる（図２２（ｅ）の状態）。つまり、制御ＩＣは、操作部５４の操作位置に基づいて、複数種類の制御信号のうちいずれか１つを選択する。また、制御ＩＣ又はセンサ制御ＩＣは、アイコン表示部５２のうち選択されたアイコンのみを点灯させる。その後、制御ＩＣは、第二入力部の操作部５３が操作されたことに基づいて、選択した制御信号を出力して、アンテナ部にその制御信号の電波を送信させる（図２２（ｆ）の状態）。
【０１５８】
このように、この変形例では、アイコン表示部５２を間に挟んで左右それぞれの箇所に第一入力部の操作部５４、５５が配置されるので、同一デザインでも右利きと左利きのユーザーの両者が快適に使用できる共通デザインの携帯機を提供できる。すなわち、右利きのユーザーは、右手の指で携帯機を操作することが多いので、図２２（ｃ）のように右手の指で右側の操作部５５を操作することで、指でアイコン表示部５２が隠れてしまうのを防ぐことができる。他方、左利きのユーザーは、左手の指で携帯機を操作することが多いので、図２２（ｅ）のように左手の指で左側の操作部５４を操作することで、指でアイコン表示部５２が隠れてしまうのを防ぐことができる。このように、同一種類の制御信号を選択する操作範囲を携帯機外面の複数の箇所に配置することで、操作性を向上できる。
【０１５９】
なお、両方の操作部５４、５５を待機状態から起動状態に遷移させた後（図２２（ｂ）の状態）、操作部５４、５５のうち操作された方だけでなく、操作されない方も起動状態に維持しても良い。この場合、操作部５４、５５のうち操作されない方は非表示にする。これによって、操作部５４、５５のうちユーザーが意図しない操作部を間違えて操作してしまったとしても、反対側の操作部は非表示ではあるが起動状態になっているので、その反対側の操作部を操作しなおすことができる。また、反対側の操作部を操作しなおした場合には、その操作部を表示状態とし、最初に操作した操作部は非表示とする。
【０１６０】
（その他変形例）
上記実施形態では、筐体の正面に第一入力部を配置した例を説明したが、側面や背面に第一入力部を設けても良い。また、第二入力部を、機械的な接点を持つスイッチにより構成した例を説明したが、機械的な断続接点を持たないスイッチにより構成しても良い。設置場所についても、筐体正面に第二入力部を配置した例を説明したが、側面や背面に設けても良い。
【０１６１】
また、上記実施形態では、図１、図１１、図２１の入力部５、３５、５３に対するアクションに基づいて第一入力部を起動状態に遷移させていたが、携帯機に振動検知センサを設けて、その振動検知センサが、ユーザーからのタップ等のアクションを検知したことに基づいて、第一入力部を起動状態に遷移させても良い。また、携帯機にジャイロセンサを設けて、ユーザーが携帯機をある一定の向きに振ることをジャイロセンサが検知したことに基づいて、第一入力部を起動状態に遷移させても良い。また、携帯機に加速度センサを設けて、ユーザーが携帯機をある一定速度以上で振ることを加速度センサが検知したことに基づいて、第一入力部を起動状態に遷移させても良い。また、携帯機が車両と無線にて通信可能範囲に入ったことを認識したことに基づいて、第一入力部を起動状態に遷移させても良い。また、図１１では、第三入力部３５を筐体背面に配置した例を説明したが、筐体正面や側面に配置しても良い。
【０１６２】
また、上記実施形態では、第一入力部とアイコン表示部が別のエリアに配置した例を説明したが、それらを同一エリアに配置して、ユーザーがアイコンに直接アクションすることで、出力する制御信号の種類を選択しても良い。この場合、アイコン表示部の背面側には、各アイコンに光を供給する光供給部に加えて、各アイコンに対するアクションを検知する静電容量スイッチの電極部が配置される。このように、第一入力部とアイコン表示部を同一エリアに配置することで、携帯機をより小型化でき、ユーザーより直感的に携帯機を操作することが可能となる。
【０１６３】
また、上記実施形態では、図１では楕円形、図２１では長方形のような形状の筐体を備えた例を示したが、上記したような形状の筐体に限定されるものではない。
【０１６４】
また、第一入力部を起動状態に遷移させるための入力部に対するアクションと、制御信号を出力させるための入力部に対するアクションとを互いに同一の内容としても良いし、異なる内容としても良い。例えば、図１の例で説明すると、第二入力部５が長押し操作（一定時間以上の操作）された場合に、第一入力部を待機状態から起動状態に遷移させ、第二入力部５の短押し操作では起動状態に遷移させないようにする。一方、選択した制御信号を出力させるためのアクションについては、例えば第二入力部５が操作されれば操作内容にかかわらず制御信号を出力するようにする。このように、第二入力部５の長押し操作に限定して、第一入力部を起動状態に遷移させることで、ユーザーの意図しない起動を抑制できる。
【０１６５】
また、電源部以外の電気的構成は、ＦＰＣ１４（図４参照）、回路基板２４（図４参照）のどちらの上に実装されていても良い。例えば、センサ制御ＩＣは回路基板２４上に実装されていても良いし、アンテナ部はＦＰＣ１４上に実装されていても良いし、ＬＥＤは回路基板２４上に実装されていても良いし、制御ＩＣはＦＰＣ１４上に実装されていても良い。
【０１６６】
また、上記実施形態では、制御信号（アイコン）ごとに分けられた第一入力部の操作範囲が互いに繋がっている例を示したが、各操作範囲が間隔を空けて配置されたとしても良い。また、変形例１０では、第一入力部の操作部が２箇所に設けられた例を説明したが、さらに多くの箇所（例えば、左右の側面）に設けられたとしても良い。また、各箇所に設けられた操作部が繋がっていても良い。
【０１６７】
また、上記実施形態では、第一入力部の操作範囲が制御信号の種類ごとに分けられた例を説明したが、制御信号の種類ごとに操作範囲を分けずに、同一の操作範囲に対するアクションの内容に応じて、異なる種類の制御信号を選択するようにしても良い。この場合、例えば、操作範囲へのタップ回数に応じた種類の制御信号を選択する。
【０１６８】
なお、上記実施形態において、制御ＩＣ２６が本発明の制御部に相当する。アンテナ部２５が本発明の送信部に相当する。センサ制御ＩＣが本発明の入力制御部に相当する。アイコン表示部４、５２、光供給部１６、１７、発振体３６が本発明のフィードバック部に相当する。プランジャー３８が本発明の移動体に相当する。また、アイコン表示部４、５２、光供給部１６、１７、グラフィックシート４７、４９が本発明のアイコン表示部に相当する。
【符号の説明】
【０１６９】
１、６０  車両用携帯機
２、５０  ハウジング
３、４６、５４、５５  第一入力部の操作部
２５  アンテナ部
２６  制御ＩＣ
１５  第一入力部の電極部
【図１】
0006501199.tif 000002
【図２】
0006501199.tif 000003
【図３】
0006501199.tif 000004
【図４】
0006501199.tif 000005
【図５】
0006501199.tif 000006
【図６】
0006501199.tif 000007
【図７】
0006501199.tif 000008
【図８】
0006501199.tif 000009
【図９】
0006501199.tif 000010
【図１０】
0006501199.tif 000011
【図１１】
0006501199.tif 000012
【図１２】
0006501199.tif 000013
【図１３】
0006501199.tif 000014
【図１４】
0006501199.tif 000015
【図１５】
0006501199.tif 000016
【図１６】
0006501199.tif 000017
【図１７】
0006501199.tif 000018
【図１８】
0006501199.tif 000019
【図１９】
0006501199.tif 000020
【図２０】
0006501199.tif 000021
【図２１】
0006501199.tif 000022
【図２２】
0006501199.tif 000023